(57)【特許請求の範囲】
【請求項１】
有色の有色トナー及びクリアトナーが搭載され、前記有色トナー及び前記クリアトナーを用いて、画像データに基づいた画像を記録媒体に形成する印刷装置で用いる前記画像データを生成する印刷制御装置であって、
前記有色トナーを付与する有色領域を規定した有色版データと、前記クリアトナーを付与する特色領域を規定した特色版データと、を含む第１データを取得する取得部と、
前記第１データに基づいて、前記クリアトナーを記録媒体に付着させるときの印刷条件を示す有色の画像を特定した印刷条件版データを生成する第１生成部と、
前記印刷条件版データと前記有色版データとを合成した合成有色版データ及び前記特色版データに基づいて、前記画像データを生成する第２生成部と、
を備えた印刷制御装置。
【請求項２】
前記第１データは、前記印刷装置の装置構成を示す装置構成情報を更に含み、
前記第１生成部は、前記第１データに基づいて、前記装置構成情報を含む前記印刷条件を示す有色の画像を特定した前記印刷条件版データを生成する、
請求項１に記載の印刷制御装置。
【請求項３】
前記第２生成手段は、記録媒体上における、前記有色版データによって特定される有色領域以外の余白領域に、前記印刷条件版データによって特定される前記印刷条件が形成されるように、前記印刷条件版データと前記有色版データとを合成した前記合成有色版データを生成し、該合成有色版データ及び前記特色版データに基づいて、前記画像データを生成する、請求項１または請求項２に記載の印刷制御装置。
【請求項４】
前記装置構成情報毎に、記録媒体に付与する表面効果の種類に対応する濃度値を規定した表面効果選択テーブルを記憶する記憶部を更に備え、
前記第１データは、前記印刷装置の装置構成を示す装置構成情報に対応する前記表面効果選択テーブルを一意に識別する識別情報を更に含み、
前記第１生成部は、前記第１データに基づいて、前記識別情報を含む前記印刷条件を示す有色の画像を特定した前記印刷条件版データを生成する、
請求項２に記載の印刷制御装置。
【請求項５】
前記第１データは、前記表面効果の種類の置換え条件を示す優先情報を更に含み、
前記第１生成部は、前記第１データに基づいて、前記優先情報を含む前記印刷条件を示す有色の画像を特定した前記印刷条件版データを生成する、
請求項１〜請求項４の何れか１項に記載の印刷制御装置。
【請求項６】
前記第１生成部は、前記第１データに基づいて、前記特色版データによって規定される特色領域を示す情報を含む前記印刷条件を示す有色の画像を特定した前記印刷条件版データを生成する、請求項１〜請求項５の何れか１項に記載の印刷制御装置。
【請求項７】
有色の有色トナー及びクリアトナーが搭載され、前記有色トナー及び前記クリアトナーを用いて、画像データに基づいた画像を記録媒体に形成する印刷装置と、前記印刷装置で用いる前記画像データを生成する印刷制御装置と、を有する印刷制御システムであって、
前記印刷制御装置は、
前記有色トナーを付与する有色領域を規定した有色版データと、前記クリアトナーを付与する特色領域を規定した特色版データと、を含む第１データを取得する取得部と、
前記第１データに基づいて、前記クリアトナーを記録媒体に付着させるときの印刷条件を示す有色の画像を特定した印刷条件版データを生成する第１生成部と、
前記印刷条件版データと前記有色版データとを合成した合成有色版データ及び前記特色版データに基づいて、前記画像データを生成する第２生成部と、
を備える、印刷制御システム。
【請求項８】
有色の有色トナー及びクリアトナーが搭載され、前記有色トナー及び前記クリアトナーを用いて、画像データに基づいた画像を記録媒体に形成する印刷装置で用いる前記画像データを生成する印刷制御装置で実現される印刷制御方法あって、
前記有色トナーを付与する有色領域を規定した有色版データと、前記クリアトナーを付与する特色領域を規定した特色版データと、を含む第１データを取得する取得ステップと、
前記第１データに基づいて、前記クリアトナーを記録媒体に付着させるときの印刷条件を示す有色の画像を特定した印刷条件版データを生成する第１生成ステップと、
前記印刷条件版データと前記有色版データとを合成した合成有色版データ及び前記特色版データに基づいて、前記画像データを生成する第２生成ステップと、
を含む印刷制御方法。
【請求項９】
有色の有色トナー及びクリアトナーが搭載され、前記有色トナー及び前記クリアトナーを用いて、画像データに基づいた画像を記録媒体に形成する印刷装置で用いる前記画像データを生成するコンピュータに実行させるためのプログラムであって、
前記有色トナーを付与する有色領域を規定した有色版データと、前記クリアトナーを付与する特色領域を規定した特色版データと、を含む第１データを取得する取得ステップと、
前記第１データに基づいて、前記クリアトナーを記録媒体に付着させるときの印刷条件を示す有色の画像を特定した印刷条件版データを生成する第１生成ステップと、
前記印刷条件版データと前記有色版データとを合成した合成有色版データ及び前記特色版データに基づいて、前記画像データを生成する第２生成ステップと、
を前記コンピュータに実行させるためのプログラム。
【発明の詳細な説明】
【技術分野】
【０００１】
本発明は、印刷制御装置、印刷制御システム、印刷制御方法、及びプログラムに関する。
【背景技術】
【０００２】
従来、ＣＭＹＫの４色のトナーの他に、色材が入っていない無色のトナーであるクリアトナーを搭載した画像形成装置が存在する。このようなクリアトナーにより形成されたトナー像は、ＣＭＹＫのトナーにより画像が形成された記録媒体上に定着され、この結果記録媒体の面において視覚的な効果や触覚的な効果（表面効果という）が実現される。クリアトナーにどのようなトナー像を形成してどのような定着をさせるかによって、実現される表面効果が異なる。単純に光沢を与える表面効果もあれば、光沢を抑制する表面効果もある。また、全面に表面効果を与えるだけでなく、一部だけに表面効果を与えたり、クリアトナーによりテクスチャやウォーターマークをつけたりする表面効果も求められている。また、表面保護を求める場合もある。また、定着制御のほか、グロッサーや低温定着機などの専用の後処理機によって後処理を行うことで実現できる表面効果もある。
【０００３】
ところで、有色の有色画像の形成時に、有色画像を形成するときの印刷条件を記録媒体に形成する技術が開示されている（例えば、特許文献１参照）。
【発明の概要】
【発明が解決しようとする課題】
【０００４】
しかしながら、従来では、クリアトナーを記録媒体に付着させる場合の印刷条件については、何ら考慮がなされていなかった。
【０００５】
本発明は、上記に鑑みてなされたものであって、クリアトナーを記録媒体に付着させるときの印刷条件を容易に提示することができる、印刷制御装置、印刷制御システム、印刷制御方法、及びプログラムを提供することを目的とする。
【課題を解決するための手段】
【０００６】
上述した課題を解決し、目的を達成するために、本発明の印刷制御装置は、有色の有色トナー及びクリアトナーが搭載され、前記有色トナー及び前記クリアトナーを用いて、画像データに基づいた画像を記録媒体に形成する印刷装置で用いる前記画像データを生成する印刷制御装置である。本発明の印刷制御装置は、取得部と、第１生成部と、第２生成部と、を備える。取得部は、前記有色トナーを付与する有色領域を規定した有色版データと、前記クリアトナーを付与する特色領域を規定した特色版データと、を含む第１データを取得する。第１生成部は、前記第１データに基づいて、前記クリアトナーを記録媒体に付着させるときの印刷条件を示す有色の画像を特定した印刷条件版データを生成する。第２生成部は、前記印刷条件版データと前記有色版データとを合成した合成有色版データ及び前記特色版データに基づいて、前記画像データを生成する。
【０００７】
本発明の印刷制御システムは、有色の有色トナー及びクリアトナーが搭載され、前記有色トナー及び前記クリアトナーを用いて、画像データに基づいた画像を記録媒体に形成する印刷装置と、前記印刷装置で用いる前記画像データを生成する印刷制御装置と、を有する印刷制御システムである。印刷制御装置は、有色の有色トナー及びクリアトナーが搭載され、前記有色トナー及び前記クリアトナーを用いて、画像データに基づいた画像を記録媒体に形成する印刷装置で用いる前記画像データを生成する印刷制御装置である。本発明の印刷制御装置は、取得部と、第１生成部と、第２生成部と、を備える。取得部は、前記有色トナーを付与する有色領域を規定した有色版データと、前記クリアトナーを付与する特色領域を規定した特色版データと、を含む第１データを取得する。第１生成部は、前記第１データに基づいて、前記クリアトナーを記録媒体に付着させるときの印刷条件を示す有色の画像を特定した印刷条件版データを生成する。第２生成部は、前記印刷条件版データと前記有色版データとを合成した合成有色版データ及び前記特色版データに基づいて、前記画像データを生成する。
【０００８】
本発明の印刷制御方法は、有色の有色トナー及びクリアトナーが搭載され、前記有色トナー及び前記クリアトナーを用いて、画像データに基づいた画像を記録媒体に形成する印刷装置で用いる前記画像データを生成する印刷制御装置で実現される印刷制御方法あって、前記有色トナーを付与する有色領域を規定した有色版データと、前記クリアトナーを付与する特色領域を規定した特色版データと、を含む第１データを取得する取得ステップと、前記第１データに基づいて、前記クリアトナーを記録媒体に付着させるときの印刷条件を示す有色の画像を特定した印刷条件版データを生成する第１生成ステップと、前記印刷条件版データと前記有色版データとを合成した合成有色版データ及び前記特色版データに基づいて、前記画像データを生成する第２生成ステップと、を含む印刷制御方法である。
【０００９】
本発明のプログラムは、有色の有色トナー及びクリアトナーが搭載され、前記有色トナー及び前記クリアトナーを用いて、画像データに基づいた画像を記録媒体に形成する印刷装置で用いる前記画像データを生成するコンピュータに実行させるためのプログラムであって、前記有色トナーを付与する有色領域を規定した有色版データと、前記クリアトナーを付与する特色領域を規定した特色版データと、を含む第１データを取得する取得ステップと、前記第１データに基づいて、前記クリアトナーを記録媒体に付着させるときの印刷条件を示す有色の画像を特定した印刷条件版データを生成する第１生成ステップと、前記印刷条件版データと前記有色版データとを合成した合成有色版データ及び前記特色版データに基づいて、前記画像データを生成する第２生成ステップと、を前記コンピュータに実行させるためのプログラムである。
【発明の効果】
【００１０】
本発明によれば、クリアトナーを記録媒体に付着させるときの印刷条件を容易に提示することができる。
【図面の簡単な説明】
【００１１】
【図１】図１は、第１の実施の形態に係る印刷システムの構成を例示する図である。
【図２】図２は、有色版データの一例を示す図である。
【図３】図３は、光沢の有無に関する表面効果の種類を例示する図である。
【図４】図４は、光沢制御版データをイメージとして示した図である。
【図５】図５は、光沢制御版の、描画オブジェクト、座標、濃度値との対応関係の一例を示す図である。
【図６】図６は、クリア版データの一例を示す図である。
【図７】図７は、印刷データの構成例を概念的に示す模式図である。
【図８】図８は、印刷装置の構成を示す模式図である。
【図９】図９は、ＤＦＥの機能的構成を例示する図である。
【図１０】図１０は、第１の実施の形態に係る印刷システムの他の構成を例示する図である。
【図１１】図１１は、第１の実施の形態に係る印刷システムの他の構成を例示する図である。
【図１２】図１２は、表面効果選択テーブルのデータ構成を例示する図である。
【図１３】図１３は、表面効果選択テーブルのデータ構成を例示する図である。
【図１４】図１４は、ＭＩＣ及び印刷装置の構成を概念的に例示する図である。
【図１５】図１５は、設定テーブルのデータ構成を例示する図である。
【図１６】図１６は、設定テーブルのデータ構成を例示する図である。
【図１７】図１７は、設定テーブルのデータ構成を例示する図である。
【図１８】図１８は、設定テーブルのデータ構成を例示する図である。
【図１９】図１９は、設定テーブルのデータ構成を例示する図である。
【図２０】図２０は、入力画面を示す模式図である。
【図２１】図２１は、有色版データによって示される各描画オブジェクトと、位置座標と、を示す模式図である。
【図２２】図２２は、有色版データによって示される、余白領域の一例を示す模式図である。
【図２３】図２３は、印刷システムが行う光沢制御処理の手順を示すフローチャートである。
【図２４】図２４は、装置構成取得処理を示すフローチャートである。
【図２５】図２５は、置換処理を示すフローチャートである。
【図２６】図２６は、印刷条件版データ生成処理を示すフローチャートである。
【図２７】図２７は、記録媒体に形成された画像を示す模式図である。
【図２８】図２８は、第２の実施の形態に係る印刷システムの構成を例示する図である。
【図２９】図２９は、第２の実施の形態にかかるサーバ装置の機能的構成を示すブロック図である。
【図３０】図３０は、第２の実施の形態のＤＦＥの機能的構成を示すブロック図である。
【図３１】図３１は、第２の実施の形態のＤＦＥによる光沢制御処理の手順を示すフローチャートである。
【図３２】図３２は、第２の実施の形態のサーバ装置によるク印刷条件版データ生成処理の手順を示すフローチャートである。
【図３３】図３３は、クラウド上に２つのサーバを設けたネットワーク構成図である。
【図３４】図３４は、ホスト装置、ＤＦＥ、サーバ装置のハードウェア構成図である。
【発明を実施するための形態】
【００１２】
以下に添付図面を参照して、この発明にかかる印刷制御装置、印刷システム、印刷手段制御方法、記録媒体製造方法及び印刷手段制御プログラムの一実施の形態を詳細に説明する。
【００１３】
（第１の実施の形態）
まず、本実施の形態に係る印刷システムの構成について図１を用いて説明する。本実施の形態においては、印刷システム１０は、プリンタコントローラ（ＤＦＥ：Ｄｉｇｉｔａｌ  Ｆｒｏｎｔ  Ｅｎｄ）（以下、ＤＦＥと称する場合がある）５０、インタフェースコントローラ（ＭＩＣ：Ｍｅｃｈａｎｉｓｍ  Ｉ／Ｆ  Ｃｏｎｔｏｒｏｌｌｅｒ）（以下、ＭＩＣと称する場合がある）６０と、印刷装置３０と、を備えている。
【００１４】
印刷装置３０は、プリンタ機７０と、後処理機４０と、が接続されて構成されている。
【００１５】
後処理機４０としては、グロッサー８０、定着機として通常定着機を搭載した後処理機９０Ａ、及び定着機として低温定着機を搭載した後処理機９０Ｂが挙げられる。グロッサー８０は、プリンタ機７０で一度記録媒体に定着されたトナー像を、該記録媒体に再定着し、該記録媒体上の該トナー像の表面の平滑度をより向上させることで、該トナー像の表面の光沢度を高める装置である。装置の実現手段については特に限定しない。
【００１６】
後処理機９０Ａ、後処理機９０Ｂは、各々定着器の他にクリアトナー用の感光体、帯電器、現像器及び感光体クリーナを含む作像ユニット、露光器が搭載されている。なお、後処理機４０は、これらのグロッサー８０、定着機として通常定着機を搭載した後処理機９０Ａ、及び定着機として低温定着機を搭載した後処理機９０Ｂの内、少なくとも１つを搭載した構成であればよい。
【００１７】
ＤＦＥ５０は、ＭＩＣ６０を介してプリンタ機７０と通信を行い、プリンタ機７０での画像の形成を制御する。ＤＦＥ５０は、例えば、ＰＣ（Ｐｅｒｓｏｎａｌ  Ｃｏｍｐｕｔｅｒ）で構成される。また、ＤＦＥ５０には、他のＰＣ等のホスト装置４９が接続され、ＤＦＥ５０は、ホスト装置４９から画像データを受信して、当該画像データを用いて、プリンタ機７０がＣＭＹＫの各トナー及びクリアトナーに応じたトナー像を形成するための画像データを生成してこれを、ＭＩＣ６０を介してプリンタ機７０や後処理機４０に送信する。
【００１８】
なお、本実施の形態では、ＤＦＥ５０とホスト装置４９とは、別々のＰＣ、すなわち別体として構成される場合を説明するが、ＤＦＥ５０及びホスト装置４９の双方の機能を有する１つのＰＣ等を用いて一体的に構成してもよい。
【００１９】
プリンタ機７０には、ＣＭＹＫの各トナーとクリアトナーとが少なくとも搭載されており、各トナーに対して感光体、帯電器、現像器及び感光体クリーナを含む作像ユニット、及び露光器等が搭載されている。
【００２０】
ここで、クリアトナーとは、色材を含まない透明な（無色の）トナーである。なお、透明（無色）とは、例えば、透過率が７０％以上であることを示す。
【００２１】
プリンタ機７０は、ＭＩＣ６０を介してＤＦＥ５０から送信された画像データに応じて、露光器から光ビームを照射して各トナーに応じたトナー像を感光体上に形成してこれを記録媒体に転写する。そして、図示を省略する定着機によって所定の範囲内の温度（通常温度）での加熱加圧でこれを定着させる。これによって記録媒体に画像が形成される。このようなプリンタ機７０の構成については周知であるため、ここではその詳細な説明を省略する。
【００２２】
グロッサー８０は、ＤＦＥ５０によりオン又はオフが制御され、オンにされた場合に、プリンタ機７０により記録媒体に形成されたトナー像を高温及び高圧で加圧する。これにより記録媒体に形成されたトナー像全体において所定以上のトナーが付着した各画素のトナーの総付着量は均一に圧縮される。従って、グロッサー８０は、プリンタ機７０が形成した記録媒体上の該トナー像を該記録媒体に再定着し、該記録媒体上の該トナー像の表面の平滑度をより向上させることで該トナー像の光沢度を高めることができる。
【００２３】
後処理機９０Ａには、クリアトナー及び当該クリアトナーを定着させるための定着機が搭載されており、ＤＦＥ５０が生成した後述のクリアトナー版データが入力される。後処理機９０Ａは、入力されたクリアトナー版データを用いてクリアトナーによるトナー像を形成して、これを該定着機によって通常温度による加熱または加圧で記録媒体に定着させる。
【００２４】
なお、記録媒体は、画像形成される媒体であればよい。記録媒体は、例えば、用紙、合成紙、再生紙、ＯＨＰシート等のビニール紙等であるが、これらに限られない。
【００２５】
後処理機９０Ｂには、クリアトナー及び当該クリアトナーを定着させるための定着機が搭載されており、ＤＦＥ５０が生成した後述のクリアトナー版データが入力される。後処理機９０Ｂは、入力されたクリアトナー版データを用いてクリアトナーによるトナー像を形成して、グロッサー８０が加圧した記録媒体上に当該トナー像を重ねて、定着機によって通常温度よりも低い加熱または加圧で記録媒体に定着させる。
【００２６】
ここで、ホスト装置４９からＤＦＥ５０に入力される画像データ（原稿データ）について概要を説明する。ホスト装置４９では、予めインストールされた画像処理アプリケーションにより画像データが生成されて、ＤＦＥ５０に送信される。このような画像処理アプリケーションでは、ＲＧＢ版やＣＭＹＫ版などの各色版における各色の濃度の値（濃度値という）を画素毎に規定した画像データに対して、特色版データを取り扱うことが可能である。特色版データとは、ＣＭＹＫやＲＧＢなどの基本的なカラーの他に、白、金、銀といった特殊なトナーやインクを付着させるための画像データであり、このような特殊なトナーやインクを搭載したプリンタ向けのデータである。特色版データは色再現性を向上させるためにＣＭＹＫの基本カラーにＲを追加することや、ＲＧＢの基本カラーにＹを追加することもある。通常、クリアトナーも特色の１つとして取り扱われていた。
【００２７】
本実施の形態では、この特色としてのクリアトナーを、記録媒体に視覚的または触覚的な効果である表面効果を付与するため、および、記録媒体に上記表面効果以外のウォーターマーク等の透明画像を形成するために用いる。
【００２８】
このため、ホスト装置４９の画像処理アプリケーションは、入力された画像データに対して、有色版データの他、特色版データとして、ユーザの指定により、光沢制御版データおよび／またはクリア版データを生成する。
【００２９】
ここで、有色版データとは、有色トナーを付与する有色領域を規定した画像データである。詳細には、有色版データは、画素毎にＲＧＢやＣＭＹＫ等の有色の濃度値を規定した画像データである。この有色版データでは、ユーザによる色の指定により、１画素を８ビットで表現する。なお、有色版データは、描画オブジェクトごとに濃度値を設定したベクター形式であってもよく、処理内容に応じて、適宜、ベクター形式、またはラスター形式に変換して用いる。
【００３０】
図２は、有色版データの一例を示す説明図である。図２において、「Ａ」、「Ｂ」、「Ｃ」等の描画オブジェクトごとに、ユーザが画像処理アプリケーションで指定した色に対応する濃度値が付与される。画像処理アプリケーションは、例えば、ホスト装置４９にインストールされている。なお、画像処理アプリケーションは、ＤＦＥ５０にインストールされていてもよい。
【００３１】
特色版データとは、クリアトナーを付与する特色領域を規定した画像データである。特色領域としては、上述のように、記録媒体に付与する視覚的または触覚的な効果である表面効果を種類毎に規定した領域や、表面効果以外のウォーターマーク等の透明画像の領域がある。特色版データとして、本実施の形態では、光沢制御版データと、クリア版データと、を用いる。
【００３２】
光沢制御版データとは、記録媒体に付与する視覚的または触覚的な効果である表面効果に応じてクリアトナーを付着させる制御を行うため、当該表面効果の与えられる領域および当該表面効果の種類を特定した画像データである。
【００３３】
この光沢制御版データは、有色版データと同様に画素毎に８ビットで「０」〜「２５５」の範囲の濃度値で表され、この濃度値に、表面効果の種類が対応付けられる（濃度値は１６ビットや３２ビット、または０〜１００％で表してもよい）。また、同一の表面効果を与えたい範囲には実際に付着するクリアトナーの濃度と関係なく同一の値が設定されるため、領域を示すデータがなくとも必要に応じて画像データから容易に領域が特定できる。即ち、光沢制御版データによって、表面効果の種類と、表面効果を与える領域とが表される（領域を表すデータを別途付与してもよい）。なお、光沢制御版データは、詳細は後述するが、表面効果を与える領域（描画オブジェクト）ごとに濃度値を設定したベクター形式であってもよく、適宜、ベクター形式、またはラスター形式に変換して用いる。
【００３４】
ここで、ホスト装置４９は、ユーザが画像処理アプリケーションにより指定した描画オブジェクトに対する表面効果の種類を、描画オブジェクトごとに濃度値として設定し、ベクター形式の光沢制御版データを生成する。
【００３５】
なお、有色版データ、光沢制御版データ、及びクリア版データは、共にページ単位で構成される。
【００３６】
表面効果の種類としては、大別して、光沢の有無に関するものや、表面保護や、情報を埋め込んだ透かしや、テクスチャなどがある。光沢の有無に関する表面効果については、図３に例示されるように、大別して４種類あり、光沢の度合い（光沢度）順に、鏡面光沢（ＰＧ：Ｐｒｅｍｉｕｍ  Ｇｌｏｓｓ）、ベタ光沢（Ｇ：Ｇｌｏｓｓ）、網点マット（Ｍ：Ｍａｔｔ）及びつや消し（ＰＭ：Ｐｒｅｍｉｕｍ  Ｍａｔｔ）等の各種類がある。これ以降、鏡面光沢を「ＰＧ」、ベタ光沢を「Ｇ」、網点マットを「Ｍ」、つや消しを「ＰＭ」と呼ぶ場合がある。
【００３７】
鏡面光沢やベタ光沢は、光沢を与える度合いが高く、逆に、網点マットやつや消しは、光沢を抑えるためのものである。特に、つや消しは、通常の記録媒体が有する光沢度より低い光沢度を実現するものである。同図中において、鏡面光沢はその光沢度Ｇｓが８０以上、ベタ光沢は一次色あるいは二次色のなすベタ光沢度、網点マットは一次色、かつ網点３０％の光沢度、つや消しは光沢度１０以下を表している。また、光沢度の偏差をΔＧｓで表し、１０以下とした。
【００３８】
このような表面効果の各種類に対して、光沢を与える度合いが高い表面効果に高い濃度値が対応付けられ、光沢を抑える表面効果に低い濃度値が対応付けられる。その中間の濃度値には、透かしやテクスチャなどの表面効果が対応付けられる。透かしとしては、例えば、文字や地紋などが用いられる。テクスチャは、文字や模様を表すものであり、視覚的効果の他、触覚的効果を与えることが可能である。例えば、ステンドグラスのパターンをクリアトナーによって実現することができる。表面保護は、鏡面光沢やベタ光沢で代用される。なお、処理対象の画像データによって表される画像のどの領域に表面効果を与えるのかや、その領域にどの種類の表面効果を与えるのか、については、画像処理アプリケーションを介してユーザにより指定される。
【００３９】
画像処理アプリケーションを実行するホスト装置４９では、ユーザにより指定された領域を構成する画素について、ユーザ指定の表面効果に対応する濃度値をセットすることにより、光沢制御版データを生成する。濃度値と表面効果の種類との対応関係については後述する。
【００４０】
図４は、光沢制御版データの一例を示す説明図である。図４の光沢制御版データの例では、ユーザにより、描画オブジェクト「ＡＢＣ」に表面効果「ＰＧ（鏡面光沢）」が付与され、描画オブジェクト「（長方形の図形）」に表面効果「Ｇ（ベタ光沢）」が付与され、描画オブジェクト「（円形の図形）」に表面効果「Ｍ（網点マット）」が付与された例を示している。なお、ホスト装置４９には、ＤＦＥ５０に格納されている表面効果選択テーブル（図１２参照：詳細後述）を、濃度値選択テーブルとして記憶している。この濃度値選択テーブルは、各表面効果の種類に対応する濃度値を定めたテーブルである。
【００４１】
図５は、図４の光沢制御版データにおいて、描画オブジェクト、座標、濃度値との対応関係の一例を示す図である。図５に示すように、光沢制御版データによって、各描画オブジェクト毎に、各描画オブジェクトの位置及び濃度値が定められる。
【００４２】
クリア版データとは、上記表面効果以外のウォーターマークやテクスチャ等の透明画像を特定した画像データである。クリア版データについても、適宜、ベクター形式、またはラスター形式に変換して用いる。図６は、クリア版データの一例を示す説明図である。図６の例では、ユーザにより、ウォーターマーク「Ｓａｌｅ」が指定されている。
【００４３】
このように、特色版データである、光沢制御版データおよびクリア版データは、ホスト装置４９の画像処理アプリケーションにより、有色版データとは別のプレーンで生成される。また、有色版データ、光沢制御版データ、クリア版データの各画像データの形式には、ＰＤＦ（Ｐｏｒｔａｂｌｅ  Ｄｏｃｕｍｅｎｔ  Ｆｏｒｍａｔ）形式が用いられ、各版のＰＤＦの画像データを統合して原稿データとして生成される。なお、各版の画像データのデータ形式は、ＰＤＦに限定されるものではなく、任意の形式を用いることができる。
【００４４】
ホスト装置４９では、上記有色版データと、光沢制御版データ及び／またはクリア版データと、を統合した原稿データに、更にジョブコマンドを含む印刷データを生成する。そして、生成した印刷データを、ＤＦＥ５０へ出力する。なお、光沢制御版データ及びクリア版データを総称する場合には、特色版データと称して説明する。
【００４５】
ジョブコマンドは、例えば、各種設定などをプリンタ７０に対して指定するコマンドである。本実施の形態では、ジョブコマンドは、有色版データによって特定される有色画像を形成するときの印刷条件に関する情報を含む。有色画像を形成するときの印刷条件に関する情報は、印刷日時、ホスト装置４９が有色版データを外部装置から受け付けたときの該有色版データを含む印刷ジョブのジョブ名、該印刷ジョブのホスト装置４９への送信を指示したユーザ名、プリンタ機７０の名称、プリンタ機７０の機種名、プリンタ機７０の最終調整日時、周辺機器構成、プリンタの設定、集約の設定、両面の設定などがあるが、これらに限られない。
【００４６】
図７は、印刷データの構成例を概念的に示す模式図である。図７の例では、ジョブコマンドとして、ＪＤＦ（Ｊｏｂ  Ｄｅｆｉｎｉｔｉｏｎ  Ｆｏｒｍａｔ）が用いられているが、これに限られない。例えば、ＪＤＦは、集約の設定として「片面印刷・ステープル有り」を指定するコマンドである。また、印刷データは、ＰｏｓｔＳｃｒｉｐｔのようなページ記述言語（ＰＤＬ）に変換されてもよいし、ＤＦＥ５０が対応していれば、ＰＤＦ形式のままでもよい。
【００４７】
図１に戻り説明を続ける。ＤＦＥ５０は、ホスト装置４９から画像データとしての印刷データを受け付け、後述する各種処理を行った後に、印刷装置３０へ出力する。ＤＦＥ５０の詳細については後述する。
【００４８】
図８には、印刷装置３０の構成を模式的に示した。印刷装置３０は、上記構成（プリンタ機７０、後処理機４０）に加えて更に、記録媒体を搬送する搬送路２０を備えている。なお、プリンタ機７０は、詳細には、電子写真方式の複数の感光体７１Ｂ、感光体７１Ｂ上に形成されたトナー像を転写される転写ベルト７１Ｃ、転写ベルト７１Ｃ上のトナー像を記録媒体に転写する転写装置７１Ｄ、及び記録媒体上のトナー像を該記録媒体に定着させる定着装置７１Ａを備える。また、後処理機９０Ａは、電子写真方式の感光体９１Ａ及び感光体９１Ａから転写されたトナー像を記録媒体に定着させる定着装置９１Ｂを備える。後処理機９０Ｂは、電子写真方式の感光体９２Ａ及び感光体９２Ａから転写されたトナー像を記録媒体に定着させる定着装置９２Ｂを備える。記録媒体は、図示を省略する搬送部材によって搬送路２０を搬送されることで、プリンタ機７０、グロッサー８０、後処理機９０Ａ、及び後処理機９０Ｂの設けられている位置を、この順に搬送される。そして、これらの機器によって順次処理が行われて画像形成及び表面効果が付与された後に、図示を省略する搬送機構によって搬送路２０を搬送されて、印刷装置３０の外部へと排出される。
【００４９】
次に、ＤＦＥ５０の機能的構成について説明する。ＤＦＥ５０は、図９に例示されるように、レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、表面効果選択テーブル（後述）や設定テーブル（後述）等を記憶した記憶部５６Ｂ等を備えたクリアプロセッシング５６と、ｓｉ３部５７と、装置構成取得部５８と、印刷条件版データ生成部５６０と、を有する。
【００５０】
レンダリングエンジン５１と、ｓｉ１部５２と、ＴＲＣ（Ｔｏｎｅ  Ｒｅｐｒｏｄｕｃｔｉｏｎ  Ｃｕｒｖｅ）５３と、ｓｉ２部５４と、ハーフトーンエンジン５５と、クリアプロセッシング５６と、ｓｉ３部５７と、装置構成取得部５８と、印刷条件版データ生成部５６０と、の各々は、ＤＦＥ５０の制御部が主記憶部や補助記憶部に記憶されている各種プログラムを実行することにより実現されるものである。
【００５１】
ｓｉ１部５２、ｓｉ２部５４及びｓｉ３部５７はいずれも、画像データを分離する（ｓｅｐａｒａｔｅ）機能と、画像データを統合する（ｉｎｔｅｇｒａｔｅ）機能とを有するものである。
【００５２】
レンダリングエンジン５１には、ホスト装置４９から送信された画像データが入力される。レンダリングエンジン５１は、入力された画像データを言語解釈する。そして、レンダリングエンジン５１は、該画像データに含まれる、ベクター形式で表現される画像データ（有色版データ、光沢制御版データ、及びクリア版データ）をラスター形式に変換する。なお、有色版データの色空間が、ＲＧＢ形式で表現された色空間である場合には、レンダリングエンジン５１は、ＣＭＹＫ形式の色空間に変換して、ＣＭＹＫの各８ビットの有色版データ（各画素を８ビットで示した、ＣＭＹＫ各色の有色版データ）とする。
【００５３】
そして、レンダリングエンジン５１は、ＣＭＹＫの色空間に変換した、ＣＭＹＫの各８ビットの有色版データと、８ビットのクリア版データ（各画素を８ビットで示したクリア版データ）と、８ビットの光沢制御版データ（各画素を８ビットで示した光沢制御版データ）と、をｓｉ１部５２へ出力する。
【００５４】
また、レンダリングエンジン５１は、ホスト装置４９から入力された画像データに含まれる、ベクター形式の有色版データと、ベクター形式の特色版データ（クリア版データ、光沢制御版データ）と、ジョブコマンドによって特定される、有色画像を形成するときの印刷条件に関する情報と、を、後述する印刷条件版データ生成部５６０へ出力する。
【００５５】
ｓｉ１部５２は、ＣＭＹＫの各８ビットの有色版データをＴＲＣ５３に出力し、８ビットの光沢制御版データとクリア版データをクリアプロセッシング５６に出力する。
【００５６】
ＴＲＣ５３には、ｓｉ１部５２を介してＣＭＹＫの各８ビットの有色版データが入力される。ＴＲＣ５３には、入力された有色版データに対してキャリブレーションにより生成された１Ｄ＿ＬＵＴのガンマカーブでガンマ補正を行う。ＴＲＣ５３では他の画像処理として総量規制などがある。総量規制とは、記録媒体上の１画素において、プリンタ機７０でのせることが可能なトナー量に限界があるため、ガンマ補正後のＣＭＹＫ各８ビットの有色版データを制限する処理である。ちなみに、総量規制を越えて印刷した場合、転写不良や定着不良により画質が劣化してしまう。当実施例では関連するガンマ補正のみを取り上げて説明している。
【００５７】
ｓｉ２部５４は、ＴＲＣ５３でガンマ補正されたＣＭＹＫの各８ビットの有色版データを、後述するインバースマスクを生成するためのデータとしてクリアプロセッシング５６へ出力する。ハーフトーンエンジン５５には、ｓｉ２部５４を介してガンマ補正後のＣＭＹＫの各８ビットの有色版データが入力される。ハーフトーンエンジン５５は、入力された有色版データをプリンタ機７０に出力するための、例えばＣＭＹＫの各２ビット等の有色版データのデータ形式に変換するハーフトーン処理を行い、ハーフトーン処理後のＣＭＹＫ各２ビット等の有色版データを出力する。なお、２ビットは一例であり、これに限定されるものではない。
【００５８】
装置構成取得部５８は、後処理機４０の装置構成を示す装置構成情報を取得する。本実施の形態では、印刷装置３０は、上述のように、後処理機４０として、グロッサー８０、後処理機９０Ａ、後処理機９０Ｂのうち、いずれか１つ以上が搭載されている。この後処理機４０として何が設けられているかを示す情報は、詳細を後述するＭＩＣ６０によって取得され、プリンタ機７０を介して装置構成取得部５８に入力される。装置構成取得部５８は、取得した装置構成情報を、クリアプロセッシング５６へ出力する。すなわち、クリアプロセッシング５６の装置構成取得部５８は、ＤＦＥ５０にＭＩＣ６０を介して接続されている印刷装置３０における後処理機４０の構成を示す情報を、ＭＩＣ６０から受け付ける。
【００５９】
クリアプロセッシング５６には、レンダリングエンジン５１が変換した８ビットの光沢制御版データと８ビットのクリア版データがｓｉ１部５２を介して入力される。また、クリアプロセッシング５６には、レンダリングエンジン５１から、レンダリングエンジン５１で受け付けた印刷データが入力される。また、クリアプロセッシング５６には、ＴＲＣ５３がガンマ補正を行ったＣＭＹＫの各８ビットの有色版データがｓｉ２部５４を介して入力される。また、クリアプロセッシング５６は、後述するＵＩ（Ｕｓｅｒ  Ｉｎｔｅｒｆａｃｅ）部５９から、優先情報を受け付ける。
【００６０】
優先情報は、表面効果の種類の置換え条件を示す情報である。優先情報は、具体的には、光沢優先、または種類優先、を示す情報である。光沢優先とは、光沢制御版データによって指定されている表面効果の種類を、光沢度のより高い表面効果に置換えることを示す。種類優先とは、光沢制御版データによって指定されている表面効果の種類を、最も光沢度の高い種類の表面効果（本実施の形態では鏡面光沢（ＰＧ））を含まない表面効果に置換えることを示す。これらの優先情報は、後述するＵＩ部５９のユーザによる操作指示によって入力される。なお、光沢優先は、具体的には、グロッサー８０をオンにすることを示し、種類優先は、具体的には、グロッサー８０をオフにすることを示す。
【００６１】
クリアプロセッシング５６は、入力された８ビットの光沢制御版データを用いて、後述の表面効果選択テーブルを参照して、光沢制御版データを構成する各画素の表す濃度値（画素値）に対する表面効果を判断して、当該判断及び後述する設定テーブルに基づいて、グロッサー８０のオン又はオフを決定すると共に、入力されたＣＭＹＫの各８ビットの有色版データを用いてインバースマスクやベタマスクやハーフトーン等を適宜生成することにより、クリアトナーを付着させるための２ビットのクリアトナー版データを適宜生成する。
【００６２】
そして、クリアプロセッシング５６は、適宜生成した、プリンタ機７０で用いるクリアトナー版データと、後処理機９０Ａ、後処理機９０Ｂで用いるクリアトナー版データとを印刷装置３０へ出力すると共に、グロッサー８０のオン又はオフを示すオンオフ情報を出力する。
【００６３】
ここで、上記インバースマスクとは、表面効果を与える対象の領域を構成する各画素上のＣＭＹＫのトナー及びクリアトナーを合わせた総付着量が均一になるようにするためのものである。具体的には、ＣＭＹＫの有色版データにおいて当該対象の領域を構成する画素の表す濃度値を全て加算し、所定値から引いた画像データがインバースマスクとなる。具体的には、例えば、以下の式１で表される。
【００６４】
Ｃｌｒ＝１００−（Ｃ＋Ｍ＋Ｙ＋Ｋ）  但し、Ｃｌｒ＜０となる場合、Ｃｌｒ＝０
・・・(式１)
【００６５】
式１において、Ｃｌｒ，Ｃ，Ｍ，Ｙ，Ｋは、クリアトナー及びＣ，Ｍ，Ｙ，Ｋの各トナーのそれぞれについて、各画素における濃度値から換算される濃度率を表すものである。即ち、式１によって、Ｃ，Ｍ，Ｙ，Ｋの各トナーの総付着量にクリアトナーの付着量を加えた総付着量を、表面効果を与える対象の領域を構成する全ての画素について１００％にする。なお、Ｃ，Ｍ，Ｙ，Ｋの各トナーの総付着量が１００％以上である場合には、クリアトナーは付着させずに、その濃度率は０％にする。これは、Ｃ，Ｍ，Ｙ、Ｋの各トナーの総付着量が１００％を超えている部分は定着処理により平滑化されるためである。このように、表面効果を与える対象の領域を構成する全ての画素上の総付着量を１００％以上にすることで、当該対象の領域においてトナーの総付着量の差による表面の凸凹がなくなり、この結果、光の正反射による光沢が生じるのである。但し、インバースマスクには、式１以外により求められるものがあり、インバースマスクの種類は複数有り得る。後述するＩＮＶ−１、ＩＮＶ−ｍがこれに相当する。
【００６６】
ベタマスクとは、表面効果を与える対象の領域を構成する各画素上にクリアトナーを均一に付着させるためのものである。具体的には、例えば以下の式２で表される。
【００６７】
Ｃｌｒ＝１００・・・(式２)
【００６８】
なお、表面効果を与える対象の画素の中でも、１００％以外の濃度率が対応付けられるものがあるようにしても良く、ベタマスクのパターンは複数有り得る。
【００６９】
また、例えばインバースマスクは、各色の地肌露出率の乗算により求められるものであってもよい。この場合のインバースマスクは、例えば以下の式３で表される。
【００７０】
Ｃｌｒ＝１００×｛（１００−Ｃ）／１００｝×｛（１００−Ｍ）／１００｝×｛（１００−Ｙ）／１００｝×｛（１００−Ｋ）／１００｝・・・(式３)
【００７１】
上記式３において、（１００−Ｃ）／１００は、Ｃの地肌露出率を示し、（１００−Ｍ）／１００は、Ｍの地肌露出率を示し、（１００−Ｙ）／１００は、Ｙの地肌露出率を示し、（１００−Ｋ）／１００はＫの地肌露出率を示す。
【００７２】
また、例えばインバースマスクは、最大面積率の網点が平滑性を律すると仮定した方法により求められるものであってもよい。この場合のインバースマスクは、例えば以下の式４で表される。
【００７３】
Ｃｌｒ＝１００−ｍａｘ（Ｃ，Ｍ，Ｙ，Ｋ）・・・(式４)
【００７４】
上記式４において、ｍａｘ（Ｃ，Ｍ，Ｙ，Ｋ）は、ＣＭＹＫのうち最大の濃度値を示す色の濃度値が代表値となることを示す。
【００７５】
要するに、インバースマスクは、上記式１〜式４の何れかの式により表されるものであればよい。
【００７６】
表面効果選択テーブルは、濃度値及び表面効果の種類の対応関係を示すと共に、これらと、印刷システムの構成に応じた優先情報と、プリンタ機７０で用いるクリアトナー版データ及び後処理機で用いるクリアトナー版データとの対応関係を示すテーブルである。
【００７７】
なお、後処理機４０に関する制御情報とは、グロッサー８０のオン又はオフを示す情報である。
【００７８】
具体的には、表面効果選択テーブルは、装置構成に応じて、印刷システムの構成毎に、後処理機４０に関する制御情報（グロッサー８０のオンオフ）、プリンタ機７０で用いるクリアトナー版（クリアトナー版１）、後処理機９０Ａで用いるクリアトナー版（クリアトナー版２）、及び後処理機９０Ｂで用いるクリアトナー版（クリアトナー版３）の少なくとも１つと、濃度値及び表面効果の種類との対応関係を示すように構成され得る。
【００７９】
ここで、上述のように、本実施の形態では、印刷装置３０は、後処理機４０として設けられたグロッサー８０、後処理機９０Ａ、後処理機９０Ｂのうちのいずれか１つ以上が搭載された構成である。この後処理機４０の構成によって、実現可能な表面効果の種類が異なる。
【００８０】
このため、本実施の形態では、表面効果選択テーブルとしては、印刷装置３０におけるプリンタ機７０以外の構成として、グロッサー８０、後処理機９０Ａ、及び後処理機９０Ｂの内の少なくとも１つ以上を備え且つ少なくとも１つ以上を備えていない複数種類の構成毎に、表面効果選択テーブルが対応づけられている。
【００８１】
すなわち、例えば、後処理機４０の装置構成を示す装置構成情報が、グロッサー８０と後処理機９０Ｂを示す場合を想定する。この場合には、図１０に示すように、印刷装置３０は、後処理機４０として、グロッサー８０及び後処理機９０Ｂのみを搭載した構成となっている。このような構成を示す装置構成情報に対応する表面効果選択テーブルは、後処理機４０に関する制御情報（グロッサー８０のオンオフ）と、プリンタ機７０で用いるクリアトナー版データ、及び後処理機９０Ｂで用いるクリアトナー版データと、濃度値及び表面効果の種類との対応関係を示すように構成される。
【００８２】
また、例えば、後処理機４０の装置構成を示す装置構成情報が、グロッサー８０のみ示す場合を想定する。この場合には、図１１に示すように、印刷装置３０は、後処理機４０としてグロッサー８０のみを搭載した構成となっている。このような構成を示す装置構成情報に対応する表面効果選択テーブルは、後処理機４０に関する制御情報（グロッサー８０のオンオフ）と、プリンタ機７０で用いるクリアトナー版データと、濃度値及び表面効果の種類との対応関係を示すように構成される。
【００８３】
図１２には、一例として、プリンタ機７０と、グロッサー８０、後処理機９０Ａ、及び後処理機９０Ｂの全ての後処理機４０を備えたことを示す装置構成情報に対応する、表面効果選択テーブルの一例を示した。
【００８４】
図１２に示す表面効果選択テーブルには、優先情報（グロッサー８０オン／オフ）と、プリンタ機７０で用いるクリアトナー版データ（図１２中、クリアトナー版１参照）と、後処理機９０Ａで用いるクリアトナー版データ（図１２中、クリアトナー版２参照）のクリアトナー版データと、定着機として低温定着機を搭載した後処理機９０Ｂで用いるクリアトナー版データ（図１２中、クリアトナー版３参照）と、濃度値及び表面効果の種類との対応関係が示されている。
【００８５】
なお、同図に示される表面効果の種類及び濃度値の対応関係においては、濃度値の範囲毎に表面効果の各種類が対応付けられている。また、その濃度値の範囲の代表となる値（代表値）から換算される濃度の割合（濃度率）に対して２％単位で表面効果の各種類が対応付けられている。具体的には、濃度率が８４％以上となる濃度値の範囲（「２１２」〜「２５５」）に対して光沢を与える表面効果（鏡面効果及びベタ効果）が対応付けられており、濃度率が１６％以下となる濃度値の範囲（「１」〜「４３」）に対して光沢を抑える表面効果（網点マット及びつや消し）が対応付けられている。また、濃度率が２０％〜８０％となる濃度値の範囲には、テクスチャや地紋透かしなどの表面効果が対応付けられている。
【００８６】
より具体的には、例えば、「２３８」〜「２５５」の画素値に対しては表面効果として鏡面光沢（ＰＭ）が対応付けられており、このうち、「２３８」〜「２４２」の画素値、「２４３」〜「２４７」の画素値及び「２４８」〜「２５５」の画素値の３つの範囲に対して各々異なるタイプの鏡面光沢が対応付けられている。また、「２１２」〜「２３２」の画素値に対しては、ベタ光沢（Ｇ）が対応付けられており、このうち、「２１２」〜「２１６」の画素値、「２１７」〜「２２１」の画素値、「２２２」〜「２２７」の画素値及び「２２８」〜「２３２」の画素値の４つの範囲に対して各々異なるタイプのベタ光沢が対応付けられている。また、「２３」〜「４３」の画素値に対しては、網点マット（Ｍ）が対応付けられており、このうち、「２３」〜「２８」の画素値、「２９」〜「３３」の画素値、「３４」〜「３８」の画素値及び「３９」〜「４３」の画素値の４つの範囲に対して各々異なるタイプの網点マットが対応付けられている。また、「１」〜「１７」の画素値に対しては、つや消し（ＰＭ）が対応付けられており、このうち、「１」〜「７」の画素値、「８」〜「１２」の画素値及び「１３」〜「１７」の画素値の３つの範囲に対して各々異なるタイプのつや消しが対応付けられている。これらの同一の表面効果の異なるタイプはプリンタ機７０や後処理機９０Ａや後処理機９０Ｂで使用するクリアトナー版データを求める式に違いがあり、プリンタ本体や後処理機の動作は同じである。なお、「０」の濃度値には、表面効果を与えないことが対応付けられている。
【００８７】
また、同図には、画素値及び表面効果に対応して、グロッサー８０のオン又はオフを示すオンオフ情報と、プリンタ機７０で用いるクリアトナー版データ、後処理機９０Ａで用いるクリアトナー版データ、及び後処理機９０Ｂで用いるクリアトナー版データとが各々示されている。例えば、表面効果が鏡面光沢である場合、グロッサー８０をオンにすることが示されると共に、プリンタ機７０で用いるクリアトナー版データ（クリアトナー版１）は、インバースマスクを表すものであり、後処理機９０Ａ、９０Ｂで用いるクリアトナー版データ（各々クリアトナー版２、クリアトナー版３）は、ないことが示されている。
【００８８】
なお、当該インバースマスクは、例えば上述した式１により求められるものである。なお、同図に示される例は、表面効果として鏡面効果が指定された領域が、画像データによって規定される領域全体に相当する場合の例である。表面効果として鏡面効果が指定された領域が、画像データによって規定される領域の一部に相当する場合の例については後述する。
【００８９】
また、濃度値が「２２８」〜「２３２」であり表面効果がベタ光沢である場合、グロッサー８０をオフにすることが示されていると共に、プリンタ機７０で用いるクリアトナー版データ（クリアトナー版１参照）の画像データは、インバースマスク１であり、後処理機９０Ａ、９０Ｂで用いるクリアトナー版データ（各々クリアトナー版２、クリアトナー版３）は、ないことが示されている。
【００９０】
なお、当該インバースマスク１は、上記式１〜式４の何れかの式により表されるものであればよい。これはグロッサー８０がオフなので平滑化されるトナーの総付着量が異なるため、鏡面光沢により表面の凹凸が増え、その結果、鏡面光沢により光沢度が低いベタ光沢が得られる。また、表面効果が網点マットである場合、グロッサー８０をオフにすることが示されていると共に、プリンタ機７０で用いるクリアトナー版データ（クリアトナー版１参照）は、ないことが示されている。後処理機９０Ａで用いるクリアトナー版データ（クリアトナー版２参照）は、ハーフトーン（網点）を表すものであり、後処理機９０Ｂで用いるクリアトナー版データ（クリアトナー版３参照）は、ないことが示されている。
【００９１】
また、表面効果がつや消しである場合、グロッサー８０をオン又はオフのいずれにしてもよいことが示されていると共に、プリンタ機７０で用いるクリアトナー版データ（クリアトナー版１参照）、及び後処理機９０Ａで用いるクリアトナー版データ（クリアトナー版２参照）は、なく、後処理機９０Ｂで用いるクリアトナー版データ（クリアトナー版３参照）は、ベタマスクを表すものであることが示されている。当該ベタマスクは、例えば上述の式２により求められるものである。
【００９２】
そして、この表面効果選択テーブルは、上述のように、後処理機４０の装置構成を示す装置構成情報に対応して定められている。
【００９３】
図１３には、一例として、プリンタ機７０と、グロッサー８０、及び後処理機９０Ｂを備えたことを示す装置構成情報に対応する、表面効果選択テーブルの一例を示した。
【００９４】
図１３に示す表面効果選択テーブルには、優先情報（グロッサー８０オン／オフ）と、プリンタ機７０で用いるクリアトナー版データ（図１３中、クリアトナー版１参照）と、後処理機９０Ｂで用いるクリアトナー版データ（図１３中、クリアトナー版２参照）のクリアトナー版データと、濃度値及び表面効果の種類との対応関係が示されている。
【００９５】
このように、後処理機４０の装置構成に対応する表面効果選択テーブルは、装置構成によって互いに異なるものとなる。
【００９６】
図９に戻り、クリアプロセッシング５６は、ＭＩＣ６０から受け付けた装置構成情報に対応する表面効果選択テーブルを参照して、光沢制御版データによって示される各画素値に対応付けられている表面効果を判断すると共に、グロッサー８０のオン又はオフの設定や、プリンタ機７０、後処理機９０Ｂ、及び後処理機９０Ａで用いるクリアトナー版データを生成する。なお、クリアプロセッシング５６は、グロッサー８０のオン又はオフの設定を１ページ毎に行う。そして、クリアプロセッシング５６は、クリアトナー版データを適宜生成してこれを出力すると共に、グロッサー８０に対するオンオフ情報を出力する。
【００９７】
ｓｉ３部５７は、ハーフトーン処理後のＣＭＹＫの各２ビットの有色版データと、クリアプロセッシング５６が生成した２ビットのクリアトナー版データとを統合し、統合した画像データをＭＩＣ６０に出力する。
【００９８】
なお、クリアプロセッシング５６は、プリンタ機７０で用いるクリアトナー版データ及び後処理機９０Ａ、後処理機９０Ｂで用いるクリアトナー版データのうち少なくとも一版を生成しない場合があるので、クリアプロセッシング５６が生成した方のクリアトナー版データがｓｉ３部５７で統合される。また、両方のクリアトナー版データをクリアプロセッシング５６が生成していない場合には、ｓｉ３部５７からはＣＭＹＫの各２ビットの有色版データが統合された画像データが出力される。この結果、ＤＦＥ５０からは各々２ビットの最大７版の画像データがＭＩＣ６０へ送り出されることになる。また、ｓｉ３部５７は、クリアプロセッシング５６が出力したグロッサー８０に対するオンオフ情報もＭＩＣ６０に出力する。
【００９９】
なお、詳細は後述するが、ｓｉ３部５７は、後述する印刷条件版データ生成部５６０からの要求に応じて、ＣＭＹＫの各２ビットの有色版データを印刷条件版データ生成部５６０へ出力する。そして、ｓｉ３部５７は、印刷条件版データ生成部５６０から２ビットの合成有色版データを受け付けた場合には、ハーフトーンエンジンから受け付けたＣＭＹＫの有色版データの内、印刷条件版データ生成部５６０から受け付けた合成有色版データと同じ色（ＣＭＹＫの内の少なくとも１つ）の有色版データを、印刷条件版データ生成部５６０から受け付けた合成有色版データに置換える。そして、置換えた合成有色版データを有色版データとして含む、ＣＭＹＫの有色版データと、クリアプロセッシング５６から受け付けたクリアトナー版データと、を統合した画像データを、ＭＩＣ６０に出力する（詳細後述）。
【０１００】
ＭＩＣ６０は、図１４に例示されるように、ＤＦＥ５０から出力された画像データのうちＣＭＹＫの有色版データをプリンタ機７０に出力し、プリンタ機７０で用いるクリアトナー版データ（Ｃｌｒ−１、クリアトナー版１）がある場合にはこれもプリンタ機７０に出力し、ＤＦＥ５０からグロッサー８０のオンオフが出力された場合には該オンオフ情報を用いて、グロッサー８０をオン又はオフにして、後処理機９０Ａで用いるクリアトナー版データ（Ｃｌｒ−２、クリアトナー版２）がある場合にはこれを対応する後処理機９０Ａに出力する。後処理機９０Ｂで用いるクリアトナー版データ（Ｃｌｒ−３、クリアトナー版３）がある場合にはこれを対応する後処理機９０Ｂに出力する。
【０１０１】
グロッサー８０は、オンオフ情報によって定着を行う経路と行わない経路とを切り替えてもよい。後処理機９０Ａ及び後処理機９０Ｂは、各々、クリアトナー版データの有無によって接離動作の切り替えやグロッサー８０と同様の経路の切り替えをしてもよい。ここで、接離動作について後処理機９０Ａの場合の例を簡単に説明する。クリアトナー版データ（Ｃｌｒ−２、クリアトナー版２）があるとき、感光体９１Ａ及び定着機９１Ｂは記録媒体に接触し、画像を形成する。クリアトナー版データがあるとき、感光体９１Ａ及び定着機９１Ｂは記録媒体から離れ、画像の形成は行なわない。これにより、感光体９１Ａ及び定着機９１Ｂの消耗を低減することができる。
【０１０２】
また、ＭＩＣ６０は、後処理機４０として搭載されている装置構成を示す装置構成情報をＤＥＦ５０に出力する。
【０１０３】
次に、表面効果として鏡面効果が指定された領域が、画像データによって規定される領域全体に相当する場合について、本実施の形態に係る印刷システムが行う光沢制御処理の手順を説明する。ＤＦＥ５０は、ホスト装置４９から画像データを受信すると、これを言語解釈して、ベクター形式で表現される画像データをラスター形式に変換すると共に、例えば、ＲＧＢ形式で表現された色空間をＣＭＹＫ形式の色空間に変換して、ＣＭＹＫの各８ビットの有色版データ及び８ビットの光沢制御版データを得る。そして、ＤＦＥ５０は、ＣＭＹＫの各８ビットの有色版データに対してキャリブレーションにより生成された１Ｄ＿ＬＵＴのガンマカーブでガンマ補正を行い、ガンマ補正後の有色版データに対して、プリンタ機７０に出力するためのＣＭＹＫ各２ビットの有色版データのデータ形式に変換するハーフトーン処理を行い、ハーフトーン処理後のＣＭＹＫの各２ビットの有色版データを得る。また、ＤＦＥ５０は、８ビットの光沢制御版データを用いて、表面効果選択テーブルを参照して、光沢制御版データによって示される各画素値に対して指定された表面効果を判断する。ＤＦＥ５０は、光沢制御版データを構成する全ての画素について、このような判断を行う。なお、光沢制御版データにおいては、各表面効果を与える領域を構成する全ての画素について基本的に同一の範囲の濃度値を表す。このため、同一の表面効果であると判断した近傍の画素については、ＤＦＥ５０は、同一の表面効果を与える領域に含まれるものとして判断する。
【０１０４】
このようにして、ＤＦＥ５０は、表面効果を与える領域と、当該領域に対して与える表面効果の種類とを判断する。そして、ＤＦＥ５０は、当該判断に応じて、グロッサー８０のオン又はオフを決定すると共に、ガンマ補正後のＣＭＹＫの各８ビットの有色版データを適宜用いて、クリアトナーを付着させるための２ビットのクリアトナー版データを適宜生成する。そして、ＤＦＥ５０は、ハーフトーン処理後のＣＭＹＫの各２ビットの有色版データと、適宜生成した２ビットのクリアトナー版データとを統合し、統合した画像データと、決定したグロッサー８０のオン又はオフを示すオンオフ情報とをＭＩＣ６０に対して出力する。
【０１０５】
ここで、表面効果の種類に応じて具体例について説明する。ここでは、光沢を与えるための鏡面光沢及びベタ光沢と、光沢を抑えるための網点マット及びつや消しとの各種類について具体的に説明する。また、ここでは、１ページ内で同一種類の表面効果が指定された場合について説明する。
【０１０６】
ＤＦＥ５０のクリアプロセッシング５６は、８ビットの光沢制御版データの各画素の表す濃度値を用いて、装置構成情報に対応する表面効果選択テーブル（例えば、図１２参照）を参照して、濃度値が「２３８」〜「２５５」である画素に対して指定された表面効果は、鏡面光沢であると判断する。この場合、更に、ＤＦＥ５０のクリアプロセッシング５６は、表面効果として鏡面光沢が指定された領域が、画像データによって規定される領域全体に相当するか否かを判断する。
【０１０７】
当該判断結果が肯定的である場合、ＤＦＥ５０のクリアプロセッシング５６は、ガンマ補正後のＣＭＹＫの各８ビットの有色版データにおいて当該領域に対応する画像データを用いて、例えば式１によりインバースマスクを生成する。当該インバースマスクを表すものが、プリンタ機７０で用いるクリアトナー版データ（図１２のクリアトナー版１）となる。なお、当該領域に対して後処理機９０Ａ、後処理機９０Ｂでは、クリアトナー版データを用いないため、ＤＦＥ５０のクリアプロセッシング５６は、後処理機９０Ａ、後処理機９０Ｂで用いるクリアトナー版データを生成しない。
【０１０８】
そして、ＤＦＥ５０のｓｉ３部５７は、プリンタ機７０で用いるクリアトナー版データと、ハーフトーン処理後のＣＭＹＫの各２ビットの有色版データと統合し、統合した画像データと、グロッサー８０のオンを示すオンオフ情報とをＭＩＣ６０に出力する。
【０１０９】
ＭＩＣ６０は、ＤＦＥ５０から出力された画像データであるＣＭＹＫの有色版データ及びプリンタ機７０で用いるクリアトナー版データをプリンタ機７０に出力し、ＤＦＥ５０から出力されたオンオフ情報を用いて、グロッサー８０をオンにする。プリンタ機７０は、ＭＩＣ６０から出力されたＣＭＹＫの有色版データ及びクリアトナー版データを用いて、露光器から光ビームを照射して各トナーに応じたトナー像を感光体上に形成してこれを記録媒体に転写しこれを通常温度での加熱及び加圧により定着させる。これによって記録媒体に、ＣＭＹＫのトナーの他クリアトナーが付着されて、画像が形成される。その後、グロッサー８０が当該記録媒体を再定着する。後処理機９０Ａ及び後処理機９０Ｂに対しては、クリアトナー版データは出力されていないため、後処理機９０Ａ及び後処理機９０Ｂでは、クリアトナーが付着及び定着されずに、当該記録媒体が排紙される。この結果、画像データによって規定された領域全体でＣＭＹＫの各トナー及びクリアトナーの総付着量が均一に圧縮されているため、当該領域の表面から強い光沢が得られる。
【０１１０】
一方、表面効果として鏡面光沢が指定された領域が、画像データによって規定される領域の一部に相当する場合は次のような事態がおこりうる。まず、鏡面光沢が指定された領域には、上述したインバースマスクを表すクリアトナー版データが用いられる。しかし、それ以外の全ての画素に対してＣＭＹＫトナーの総付着値が所定以上セットされていた場合には、グロッサー８０で加圧されると、結果的に、鏡面光沢が指定された領域とＣＭＹＫトナーの総付着値が所定以上セットされている領域のＣＭＹＫの各トナー及びクリアトナーの総付着量が均一になってしまう。
【０１１１】
このため、表面効果として鏡面光沢が指定された領域が、画像データによって規定される領域の一部に相当する場合、ＤＦＥ５０は、画像データによって規定される領域全体に対して鏡面光沢が指定されたのと同じクリアトナー版データを生成し、プリンタ機７０によって記録媒体にクリアトナーが付着、定着された後、グロッサー８０で再定着する。次に、グロッサー８０で再定着された記録媒体に対して表面効果として鏡面効果が指定された領域以外の領域に対してつや消しの表面効果を与えるべく、後処理機９０Ｂで用いるクリアトナー版データを生成する。
【０１１２】
具体的には、ＤＦＥ５０は、上述と同様にして式１によるインバースマスクを、プリンタ機７０で用いるクリアトナー版データとして生成する。更に、ＤＦＥ５０は、表面効果として鏡面効果が指定された領域以外の領域に対して式２によってベタマスクを、後処理機９０Ｂで用いるクリアトナー版データとして生成する。そして、ＤＦＥ５０のｓｉ３部５７は、プリンタ機７０で用いるクリアトナー版データ及び後処理機９０Ｂで用いるクリアトナー版データと、ハーフトーン処理後のＣＭＹＫの各２ビットの有色版データと統合し、統合した画像データと、グロッサー８０のオンを示すオンオフ情報とをＭＩＣ６０に出力する。
【０１１３】
ＭＩＣ６０は、ＤＦＥ５０から出力された画像データのうちＣＭＹＫの有色版データ及びプリンタ機７０で用いるクリアトナー版データをプリンタ機７０に出力し、ＤＦＥ５０から出力されたオンオフ情報を用いて、グロッサー８０をオンにし、ＤＦＥ５０から出力された画像データのうち後処理機９０Ｂで用いるクリアトナー版データを後処理機９０Ｂに出力する。プリンタ機７０は、ＭＩＣ６０から出力されたＣＭＹＫの有色版データ及びクリアトナー版データを用いて、記録媒体に、ＣＭＹＫのトナー及びクリアトナーを付着させた画像を形成する。その後、グロッサー８０が当該記録媒体を再定着する。後処理機９０Ｂは、ＭＩＣ６０から出力されたクリアトナー版データを用いてクリアトナーによるトナー像を形成して、グロッサー８０を通過した記録媒体上に当該トナー像を重ねて、低温での加熱及び加圧により記録媒体に定着させる。この結果、鏡面光沢が指定された領域では、ＣＭＹＫの各トナー及びクリアトナーの総付着量が均一に圧縮されているため、当該領域の表面から強い光沢が得られる。一方、鏡面光沢が指定された領域以外では、グロッサー８０での再定着後にベタマスクによるクリアトナーの付着によって表面の凹凸が生じて、当該領域の表面の光沢が抑えられる。
【０１１４】
また、ＤＦＥ５０のクリアプロセッシング５６は、８ビットの光沢制御版データの各画素の表す濃度値を用いて、装置構成情報に対応する表面効果選択テーブルを参照して、濃度値が「２１２」〜「２３２」である画素に対して指定された表面効果は、ベタ光沢であると判断し、特に、濃度値が「２２８」〜「２３２」である画素に対しては、ベタ光沢タイプ１であると判断する。この場合、ＤＦＥ５０のクリアプロセッシング５６は、ガンマ補正後のＣＭＹＫの各８ビットの有色版データにおいて当該領域に対応する画像データを用いて、インバースマスク１を生成する。当該インバースマスク１を表すものが、プリンタ機７０で用いるクリアトナー版データとなる。なお、当該領域に対して後処理機９０Ｂではクリアトナー版データを用いないため、ＤＦＥ５０は、後処理機９０Ｂで用いるクリアトナー版データを生成しない。そして、ＤＦＥ５０のｓｉ３部５７は、プリンタ機７０で用いるクリアトナー版データと、ハーフトーン処理後のＣＭＹＫの各２ビットの有色版データと統合し、統合した画像データと、グロッサー８０のオフを示すオンオフ情報とをＭＩＣ６０に出力する。ＭＩＣ６０は、ＤＦＥ５０から出力された画像データであるＣＭＹＫの有色版データ及びプリンタ機７０で用いるクリアトナー版データをプリンタ機７０に出力し、ＤＦＥ５０から出力されたオンオフ情報を用いて、グロッサー８０をオフにする。
【０１１５】
プリンタ機７０は、ＭＩＣ６０から出力されたＣＭＹＫの有色版データ及びプリンタ機７０で用いるクリアトナー版データを用いて、記録媒体に、ＣＭＹＫのトナー及びクリアトナーを付着させた画像を形成する。グロッサー８０はオフにされているため、その後、記録媒体は、再定着されることはない。また、後処理機９０Ｂに対しては、クリアトナー版データは出力されていないため、後処理機９０Ｂでは、クリアトナーが付着、定着されずに、当該記録媒体が排紙される。この結果、表面効果としてベタ光沢が指定された領域には、ＣＭＹＫの各トナー及びクリアトナーの総付着量が比較的均一になり、当該領域の表面からやや強い光沢が得られる。
【０１１６】
また、ＤＦＥ５０のクリアプロセッシング５６は、８ビットの光沢制御版データの各画素の表す濃度値を用いて、装置構成情報に対応する表面効果選択テーブルを参照して、濃度値が「２３」〜「４３」である画素に対して指定された表面効果は、網点マットであると判断する。この場合、ＤＦＥ５０のクリアプロセッシング５６は、ハーフトーンを表す画像データを、後処理機９０Ａで用いるクリアトナー版データとして生成する。なお、当該領域に対して、プリンタ機７０と後処理機９０Ｂではクリアトナー版データを用いないため、ＤＦＥ５０は、プリンタ機７０と後処理機９０Ｂで用いるクリアトナー版データを生成しない。そして、ＤＦＥ５０のｓｉ３部５７は、後処理機９０Ａで用いるクリアトナー版データと、ハーフトーン処理後のＣＭＹＫの各２ビットの有色版データと統合し、統合した画像データと、グロッサー８０のオンを示すオンオフ情報とをＭＩＣ６０に出力する。ＭＩＣ６０は、ＤＦＥ５０から出力された画像データであるＣＭＹＫの有色版データ及び後処理機９０Ａで用いるクリアトナー版データを後処理機９０Ａに出力し、ＤＦＥ５０から出力されたオンオフ情報を用いて、グロッサー８０をオフにする。
【０１１７】
プリンタ機７０は、ＭＩＣ６０から出力されたＣＭＹＫの有色版データ及びクリアトナー版データを用いて、記録媒体に、ＣＭＹＫのトナーを付着させた画像を形成する。グロッサー８０はオフにされているため、その後、記録媒体は、再定着されることない。また、後処理機９０Ｂに対してはク、リアトナー版データは出力されていないため、後処理機９０Ｂでは、クリアトナーが付着されずに、当該記録媒体が排紙される。この結果、表面効果として網点マットが指定された領域にはクリアトナーにより網点が付加されることにより、表面の凹凸が生じて、当該領域の表面の光沢がやや抑えられる。
【０１１８】
また、ＤＦＥ５０のクリアプロセッシング５６は、８ビットの光沢制御版データの各画素の表す濃度値を用いて、装置構成情報に対応する表面効果選択テーブルを参照して、濃度値が「１」〜「１７」である画素に対して指定された表面効果は、つや消しであると判断する。この場合、ＤＦＥ５０のクリアプロセッシング５６は、グロッサー８０のオンまたはオフは１ページ内に他の表面効果が指定されている場合（後述）はその設定に従い、オン又はオフのいずれにしても、プリンタ機７０、後処理機９０Ａで用いるクリアトナー版データを生成せず、ベタマスクを、後処理機９０Ｂで用いるクリアトナー版データとして生成する。そして、ＤＦＥ５０のｓｉ３部５７は、後処理機９０Ｂで用いるクリアトナー版データと、ハーフトーン処理後のＣＭＹＫの各２ビットの有色版データを統合し、統合した画像データと、グロッサー８０のオン又はオフを示すオンオフ情報とをＭＩＣ６０に出力する。ＭＩＣ６０は、ＤＦＥ５０から出力された画像データのうちＣＭＹＫの有色版データをプリンタ機７０に出力し、ＤＦＥ５０から出力された画像データのうち後処理機９０Ｂで用いるクリアトナー版データを後処理機９０Ｂに出力する。
【０１１９】
プリンタ機７０は、ＭＩＣ６０から出力されたＣＭＹＫの有色版データを用いて、記録媒体に、ＣＭＹＫのトナーを付着させた画像を形成する。グロッサー８０がオンにされた場合には、記録媒体は、グロッサー８０で再定着され、グロッサー８０がオフにされた場合には、記録媒体は、再定着されない。後処理機９０Ｂは、ＭＩＣ６０から出力されたクリアトナー版データを用いてクリアトナーによるトナー像を形成して、グロッサー８０を通過した記録媒体上に当該トナー像を重ねて、低温での加熱及び加圧により記録媒体に定着させる。この結果、表面効果としてつや消しが指定された領域には、ベタマスクによるクリアトナーの付着によって表面の凹凸が生じて、当該領域の表面の光沢が抑えられる。
【０１２０】
上記では、１ページ内に同一の表面効果が指定された場合について説明したが、１ページ内で異なる種類の表面効果が指定された場合についても、上述した処理で同様に実現可能である。すなわち、１ページ内で複数の表面効果が指定されている場合、光沢制御版データでは、例えば、図１２に示す表面効果の種類に対応する各濃度値が、各種類の表面効果を付与する領域内の画素に設定されている。すなわち、光沢制御版データでは、表面効果の種類ごとに、当該表面効果を付与する領域を指定しているため、ＤＦＥ５０では、この光沢制御版データにおいて、同一の濃度値が設定された画素の範囲を、同一の表面効果を付与する領域として判断すればよく、各表面効果を１ページ内で容易に実現することが可能となっている。
【０１２１】
ここで、上述のように、印刷装置３０には、後処理機４０としての、グロッサー８０、後処理機９０Ａ、後処理機９０Ｂのうちの、いずれか１つ以上が搭載されている。
【０１２２】
このため、後処理機４０のうちの何れか１つ以上が搭載されていない装置構成である場合には、１ページ内で異なる種類の表面効果が指定された場合、後処理機４０の全てが搭載されている場合には実現することの出来た表面効果を、実現することができない場合がある。
【０１２３】
例えば、グロッサー８０、後処理機９０Ａ、及び後処理機９０Ｂのうちの後処理機９０Ａを備えない構成である場合には（図１０に示す装置構成参照）、グロッサー８０をオンにし、プリンタ機７０でＣＭＹＫトナーと、プリンタ機７０用のクリアトナー版データに応じたクリアトナーと、を記録媒体に転写した後、グロッサー８０で高温高圧でプレスすることによって、鏡面光沢（ＰＧ）を実現することができる。また、グロッサー８０より記録媒体の搬送方向下流側に設けられた後処理機９０Ｂで用いるクリアトナー版データによって、つや消し（ＰＭ）を実現することができる。しかし、グロッサー８０がオンの場合、図１０に示す構成では、グロッサー８０の後に通常定着としての後処理機９０Ａが搭載されていないので、該設定によって鏡面光沢（ＰＧ）及びつや消し（ＰＭ）を実現した同じ記録媒体に、ベタ光沢（Ｇ）と網点マット（Ｍ）の表面効果を実現することが出来ない。
【０１２４】
また、後処理機４０のうちの後処理機９０Ａ及び後処理機９０Ｂの双方を備えない構成である場合には（図１１に示す装置構成参照）、プリンタ機７０の後段にグロッサー８０のみが搭載された構成であるため、グロッサー８０がオンの場合、鏡面光沢（ＰＧ）は実現できるが、同一記録媒体上にベタ光沢（Ｇ）、網点マット（Ｍ）、つや消し（ＰＭ）の表面効果は実現出来ない。
【０１２５】
このように、後処理機４０としての、グロッサー８０、後処理機９０Ａ、および後処理機９０Ｂのうち、何れか１つ以上が搭載されていない装置構成では、１ページ内で異なる種類の表面効果が指定された場合、後処理機４０の装置構成によって、実現できない表面効果が発生する場合がある。
【０１２６】
そこで、本実施の形態では、ＤＥＦ５０は、１ページ内で異なる種類の表面効果が指定され、且つ後処理機４０の一部が搭載されていない場合には、該一部の後処理機４０が搭載されていないことによって実現することの困難な表面効果を、該装置構成の印刷装置３０で実現可能な表面効果に置き換える。
【０１２７】
上記図９に戻り、このため、本実施の形態のクリアプロセッシング５６は、表面効果種類判別部５６Ｄ、置換部５６Ａ、及び記憶部５６Ｂを備えている。なお、クリアプロセッシング５６には、後処理機４０の装置構成を示す装置構成情報が装置構成取得部５８から入力される。
【０１２８】
表面効果種類判別部５６Ｄは、ｓｉ１部５２から入力された光沢制御版データを用いて、表面効果選択テーブルを参照して、光沢制御版データを構成する各画素の表す濃度値（画素値）に対する表面効果を判別する。すなわち、表面効果種類判別部５６Ｄは、光沢制御版データ及び表面効果選択テーブルを用いて、ユーザ指定の表面効果（ユーザにより指定された領域（画素）毎の表面効果）の種類を判別する。そして、判別結果を置換部５６Ａへ出力する。
【０１２９】
記憶部５６Ｂは、表面効果選択テーブルや、設定テーブル（詳細後述）等を記憶する。なお、記憶部５６Ｂは、後処理機４０の装置構成を示す装置構成情報に対応づけて、表面効果選択テーブルを記憶する。また、記憶部５６Ｂは、装置構成情報、及び優先情報に対応する、設定テーブルを記憶する。また、記憶部５６Ｂは、表面効果選択テーブルを一意に識別する識別情報（表面効果選択テーブル名）を、該表面効果選択テーブルに対応付けて記憶する。また、記憶部５６Ｂは、設定テーブルを一意に識別する識別情報（設定テーブル名）を、該設定テーブルに対応づけて記憶する。
【０１３０】
装置構成情報とは、印刷装置３０に後処理機４０として搭載されている装置の種類を示す情報である。例えば、印刷装置３０に後処理機４０として搭載されている装置がグロッサー８０のみである場合には、該装置構成情報は、グロッサー８０を示す情報となる。
【０１３１】
設定テーブルは、詳細は後述するが、１ページ内で異なる種類の表面効果が指定された場合において、装置構成に応じて（具体的には、搭載されている後処理機４０の種類及び組み合わせに応じて）、ユーザ指定の表面効果のうちの、装置構成によって実現困難な種類の表面効果を実現可能な種類の表面効果に置き換えるための設定内容を格納したものである。また、設定テーブルに格納されている設定内容は、さらに、優先情報に応じて、ユーザ指定の表面効果を優先情報によって定められる表面効果に置換えるための設定内容も示す。この設定内容は、具体的には、グロッサー８０のオンオフの設定や、後処理機９０Ａや後処理機９０Ｂで用いるクリアトナー版データの種類を示している。
【０１３２】
より具体的には、設定テーブルは、ユーザ指定の表面効果の種類と、実際に得られる表面効果の種類と、上記設定内容と、を対応づけて格納している。
【０１３３】
例えば、記憶部５６Ｂは、装置構成情報（後処理機４０（グロッサー８０、後処理機９０Ａ、後処理機９０Ｂ）が全て搭載されている装置構成を示す装置構成情報、後処理機４０としてグロッサー８０及び後処理機９０Ｂが搭載されている装置構成を示す装置構成情報、及び後処理機４０としてグロッサー８０が搭載されている装置構成を示す装置構成情報の各々）と、優先情報（光沢優先または種類優先）と、に対応する設定テーブルを記憶する。
【０１３４】
具体的には、記憶部５６Ｂは、後処理機４０の全て（グロッサー８０、後処理機９０Ａ、後処理機９０Ｂ）が搭載されている装置構成を示す装置構成情報、及び優先情報「光沢優先」に対応する設定テーブルとして、図１５に示す設定テーブルを記憶する。
【０１３５】
図１５には、一例として後処理機４０（グロッサー８０、後処理機９０Ａ、後処理機９０Ｂ）が全て搭載されている装置構成情報、及び優先情報「光沢優先」に対応する、設定テーブルを示した。
【０１３６】
図１５に示す設定テーブルには、優先情報「光沢優先」を実現するための設定内容として、グロッサー８０をオンとすることが示されている。
【０１３７】
また、該設定テーブルには、光沢制御版データによって判別されたユーザ指定の表面効果がＰＧ（鏡面光沢）であると判別された領域についてはＰＧ（鏡面光沢）を実現するための設定内容として、プリンタ機７０で用いるクリアトナー版データを“ＩＮＶ−１”（図１２のインバースマスクＡ、Ｂ、Ｃのいずれかが該当する）とし、後処理機９０Ａ及び後処理機９０Ｂで用いるクリアトナー版データを“ｎｏ  ｄａｔａ”（データ無し）とすることが示されている。そして、この設定とすることによって、ユーザ指定の表面効果であるＰＧ（鏡面光沢）に対して、該構成の印刷装置３０において、ＰＧ（鏡面光沢）が得られることが示されている。
【０１３８】
また、図１５に示す設定テーブルには、光沢制御版データによって判別されたユーザ指定の表面効果がＧ（ベタ光沢）であると判別された領域についてはＧ（ベタ光沢）を実現するための設定内容が示されている。該設定内容としては、図１５に示すように、ユーザ指定の表面効果がＧ（ベタ光沢）である領域については、プリンタ機７０で用いるクリアトナー版データを“ＩＮＶ−ｍ”  （図１２のインバースマスク１から４のいずれかが該当する）とし、後処理機９０Ａで用いるクリアトナー版データを“ベタ”とし、後処理機９０Ｂで用いるクリアトナー版データを“ｎｏ  ｄａｔａ”（データ無し）とすることが示されている。そして、この設定とすることによって、ユーザ指定の表面効果であるＧ（ベタ光沢）に対して、該構成の印刷装置３０において、Ｇ（ベタ光沢）が得られることが示されている。
【０１３９】
また、図１５に示す設定テーブルには、光沢制御版データによって判別されたユーザ指定の表面効果がＭ（網点マット）であると判別された領域についてはＭ（網点マット）を実現するための設定内容が示されている。該設定内容としては、図１５に示すように、ユーザ指定の表面効果がＭ（網点マット）である領域については、プリンタ機７０で用いるクリアトナー版データを“ｎｏ  ｄａｔａ”（データ無し）とし、後処理機９０Ａで用いるクリアトナー版データを“ｈａｌｆｔｏｎｅ−ｎ”とし、後処理機９０Ｂで用いるクリアトナー版データを“ｎｏ  ｄａｔａ”（データ無し）とすることが示されている。そして、この設定とすることによって、ユーザ指定の表面効果であるＭ（網点マット）に対して、該構成の印刷装置３０において、Ｍ（網点マット）が得られることが示されている。
【０１４０】
また、図１５に示す設定テーブルには、光沢制御版データによって判別されたユーザ指定の表面効果がＰＭ（つや消し）であると判別された領域についてはＰＭ（つや消し）を実現するための設定内容が示されている。該設定内容としては、図１５に示すように、ユーザ指定の表面効果がＰＭ（つや消し）である領域については、プリンタ機７０で用いるクリアトナー版データを“ｎｏ  ｄａｔａ”（データ無し）とし、後処理機９０Ａで用いるクリアトナー版データを“ｎｏ  ｄａｔａ”（データ無し）とし、後処理機９０Ｂで用いるクリアトナー版データを“ベタ”とすることが示されている。そして、この設定とすることによって、ユーザ指定の表面効果であるＰＭ（つや消し）に対して、該構成の印刷装置３０において、ＰＭ（つや消し）が得られることが示されている。
【０１４１】
図１６には、一例として、グロッサー８０、後処理機９０Ｂが後処理機４０として搭載されている装置構成情報、及び優先情報「光沢優先」に対応する、設定テーブルを示した。
【０１４２】
図１６に示す設定テーブルには、光沢制御版データによって判別されたユーザ指定の表面効果がＧ（ベタ光沢）であると判別された領域についてはＰＧ（鏡面光沢）に置き換え、ユーザ指定の表面効果がＭ（網点マット）であると判別された領域についてはＰＭ（つや消し）に表面効果の種類を置き換えることが示されている。そして、その他の表面効果（ＰＧ及びＰＭ）については、ユーザ指定の表面効果のままとすることが示されている。
【０１４３】
また、図１６に示すクリアトナー版データの設定テーブルには、上記優先情報（光沢優先）を実現するための設定内容として、グロッサー８０をオンにすることを示す情報、及び各ユーザ指定の表面効果に対応する、プリンタ機７０及び後処理機９０Ｂの各々で用いるクリアトナー版データが示されている。
【０１４４】
具体的には、図１６に示す設定テーブルには、優先情報「光沢優先」を実現するための設定内容として、グロッサー８０をオンとすることが示されている。また、ユーザ指定の表面効果がＰＧ（鏡面光沢）である領域については、ＰＧ（鏡面光沢）を実現するための設定内容が示されている。該設定内容としては、図１６に示すように、ユーザ指定の表面効果がＰＧ（鏡面光沢）である領域については、プリンタ機７０で用いるクリアトナー版データを“ＩＮＶ−１”（図１３のインバースマスクＡ、Ｂ、Ｃのいずれかが該当する）とし、後処理機９０Ｂで用いるクリアトナー版データを“ｎｏ  ｄａｔａ”（データ無し）とすることが示されている。そして、この設定とすることによって、ユーザ指定の表面効果であるＰＧ（鏡面光沢）に対して、該構成（後処理機９０Ａを備えない構成）の印刷装置３０において、ＰＧ（鏡面光沢）が得られることが示されている。
【０１４５】
また、図１６に示す設定テーブルは、ユーザ指定の表面効果がＧ（ベタ光沢）である領域については、該設定テーブルに対応する装置構成では実現できないＧ（ベタ光沢）に替えて、該装置構成で実現可能なＰＧ（鏡面光沢）を実現するための設定内容が示されている。該設定内容としては、図１６に示すように、ユーザ指定の表面効果がＧ（ベタ光沢）である領域については、プリンタ機７０で用いるクリアトナー版データを“ＩＮＶ−ｍ”（図１３のインバースマスク１から４のいずれかが該当する）とし、グロッサー８０をオンにし、後処理機９０Ｂで用いるクリアトナー版データを“ｎｏ  ｄａｔａ”（データ無し）とすることが示されている。そして、この設定とすることによって、ユーザ指定の表面効果であるＧ（ベタ光沢）に対して、該表面効果Ｇを、実現可能なＰＧ（鏡面光沢）に置き換えることが示されている。
【０１４６】
同様に、図１６に示す設定テーブルは、ユーザ指定の表面効果がＭ(網点マット)である領域については、該設定テーブルに対応する装置構成では実現できないＭ（網点マット）に替えて、該装置構成で実現可能なＰＭ（つや消し）を実現するための設定内容が示されている。該設定内容としては、図１６に示すように、ユーザ指定の表面効果がＭ（網点マット）である領域については、プリンタ機７０で用いるクリアトナー版データを“ｎｏ  ｄａｔａ”（データ無し）とし、グロッサー８０をオンにし、後処理機９０Ｂで用いるクリアトナー版データを“ベタ”とすることが示されている。そして、このように設定することによって、ユーザ指定の表面効果であるＭ（網点マット）に対して、該表面効果Ｍを、該装置構成で実現可能なＰＭ（つや消し）に置き換えることが示されている。
【０１４７】
そして、さらに、図１６に示す設定テーブルは、ユーザ指定の表面効果がＰＭ（つや消し）である領域については、プリンタ機７０で用いるクリアトナー版データを“ｎｏ  ｄａｔａ”（データ無し）とし、グロッサー８０をオンにし、後処理機９０Ｂで用いるクリアトナー版データを“ベタ”とすることが示されている。そして、このように設定することによって、ユーザ指定の表面効果であるＰＭ（つや消し）に対して、該構成（後処理機９０Ａを備えない構成）の印刷装置３０において、表面効果ＰＭが得られることが示されている。
【０１４８】
図１７には、一例として、後処理機４０（グロッサー８０、後処理機９０Ａ、後処理機９０Ｂ）のうちの、後処理機９０Ａ及び後処理機９０Ｂが搭載されていない装置構成を示す装置構成情報、及び優先情報「光沢優先」に対応する設定テーブルを示した。
【０１４９】
図１７に示す設定テーブルには、優先情報「光沢優先」を実現するための設定内容として、グロッサー８０をオンとすることが示されている。また、該設定テーブルには、光沢制御版データによって判別されたユーザ指定の表面効果がＰＧ（鏡面光沢）と判別された領域については、そのままＰＧとすることが示されている。そして、ユーザ指定の表面効果がＧ（ベタ光沢）であると判別された領域についてはＰＧ（鏡面光沢）に置き換え、ユーザ指定の表面効果がＭ（網点マット）及びＰＭ（つや消し）であると判別された領域についてはＧ（ベタ光沢）に置き換えることが示されている。
【０１５０】
また、図１７に示す設定テーブルには、上記表面効果を実現するための設定内容として、各ユーザ指定の表面効果に対応する、プリンタ機７０で用いるクリアトナー版データが示されている。
【０１５１】
具体的には、図１７に示す設定テーブルには、ユーザ指定の表面効果がＰＧ（鏡面光沢）である領域については、該設定テーブルに対応する装置構成で実現可能なＰＧ（鏡面光沢）を実現するための設定内容が示されている。該設定内容としては、図１７に示すように、ユーザ指定の表面効果がＰＧ（鏡面光沢）である領域については、プリンタ機７０で用いるクリアトナー版データを“ＩＮＶ−１”（インバースマスクＡからＣのいずれかが該当）とすることが示されている。そして、この設定とすることによって、ユーザ指定の表面効果であるＰＧ（鏡面光沢）に対して、該構成（後処理機９０Ａ及び後処理機９０Ｂを備えない構成）の印刷装置３０において、ＰＧ（鏡面光沢）が得られることが示されている。
【０１５２】
また、図１７に示す設定テーブルは、ユーザ指定の表面効果がＧ（ベタ光沢）である領域については、該設定テーブルに対応する装置構成では実現できないＧ（ベタ光沢）に替えて、該装置構成で実現可能なＰＧ（鏡面光沢）を実現するための設定内容が示されている。該設定内容としては、図１７に示すように、ユーザ指定の表面効果がＧ（ベタ光沢）である領域については、プリンタ機７０で用いるクリアトナー版データを“ＩＮＶ−ｍ”（インバースマスク１から４のいずれかが該当）とすることが示されている。そして、この設定とすることによって、ユーザ指定の表面効果であるＧ（ベタ光沢）に対して、該表面効果ＧをＰＧ（鏡面光沢）に置き換えることが示されている。
【０１５３】
同様に、図１７に示す設定テーブルは、ユーザ指定の表面効果がＭ(網点マット)である領域については、該設定テーブルに対応する装置構成では実現できないＭ（網点マット）に替えて、該装置構成で実現可能なＧ（ベタ光沢）を実現するための設定内容が示されている。該設定内容としては、図１７に示すように、ユーザ指定の表面効果がＭ（網点マット）である領域については、プリンタ機７０で用いるクリアトナー版データを“ｎｏ  ｄａｔａ”（データ無し）とすることが示されている。そして、このように設定することによって、ユーザ指定の表面効果であるＭ（網点マット）に対して、該表面効果Ｍを該装置構成で実現可能なＧ（ベタ光沢）に置き換えることが示されている。
【０１５４】
そして、さらに、図１７に示す設定テーブルは、ユーザ指定の表面効果がＰＭ（つや消し）である領域については、該設定テーブルに対応する装置構成では実現できないＰＭ（つや消し）に替えて、該装置構成で実現可能なＧ（ベタ光沢）を実現するための設定内容が示されている。該設定内容としては、図１７に示すように、ユーザ指定の表面効果がＰＭ（つや消し）である領域については、プリンタ機７０で用いるクリアトナー版データを“ｎｏ  ｄａｔａ”（データ無し）とすることが示されている。そして、このように設定することによって、ユーザ指定の表面効果であるＰＭ（つや消し）に対して、該構成の印刷装置３０において実現可能な表面効果Ｇ（ベタ光沢）が得られることが示されている。
【０１５５】
また、記憶部５６Ｂは、後処理機４０としてグロッサー８０と後処理機９０Ｂの搭載されている装置構成を示す装置構成情報、及び優先情報「種類優先」に対応する設定テーブルとして、図１８に示す設定テーブルを記憶する。
【０１５６】
図１８に示す設定テーブルには、優先情報「種類優先」を実現するための設定内容として、グロッサー８０をオフにすることが示されている。また、該設定テーブルには、プリンタ機７０及び後処理機９０Ｂの各々で用いるクリアトナー版データが示されている。
【０１５７】
具体的には、図１８に示す設定テーブルには、ユーザ指定の表面効果がＰＧ（鏡面光沢）である領域については、プリンタ機７０で用いるクリアトナー版データを“ＩＮＶ−１”とし、後処理機９０Ｂで用いるクリアトナー版データを“ｎｏ  ｄａｔａ”（データ無し）にすることが示されている。そして、この設定とすることによって、ユーザ指定の表面効果であるＰＧ（鏡面光沢）に対して、印刷装置３０においてＧ（ベタ光沢）が得られることが示されている。
【０１５８】
また、図１８に示す設定テーブルは、ユーザ指定の表面効果がＧ（ベタ光沢）である領域については、プリンタ機７０で用いるクリアトナー版データを“ＩＮＶ−ｍ”とし、後処理機９０Ｂで用いるクリアトナー版データを“ｎｏ  ｄａｔａ”（データ無し）とすることが示されている。そして、この設定とすることによって、ユーザ指定の表面効果であるＧ（ベタ光沢）に対して、該表面効果Ｇが得られることが示されている。
【０１５９】
同様に、図１８に示す設定テーブルは、ユーザ指定の表面効果がＭ(網点マット)である領域については、プリンタ機７０で用いるクリアトナー版データを“ｈａｌｆｔｏｎｅ−ｎ”とし、後処理機９０Ｂで用いるクリアトナー版データを“ｎｏ  ｄａｔａ”（データ無し）とすることが示されている。そして、このように設定することによって、ユーザ指定の表面効果であるＭ（網点マット）に対して、該表面効果Ｍが得られることが示されている。
【０１６０】
そして、さらに、図１８に示す設定テーブルは、ユーザ指定の表面効果がＰＭ（つや消し）である領域については、プリンタ機７０で用いるクリアトナー版データを“ｎｏ  ｄａｔａ”（データ無し）とし、後処理機９０Ｂで用いるクリアトナー版データを“ベタ”（図１０のベタＡ、Ｂ、Ｃのいずれかが該当する）とすることが示されている。そして、このように設定することによって、ユーザ指定の表面効果であるＰＭ（つや消し）に対して、該表面効果ＰＭが得られることが示されている。
【０１６１】
また、記憶部５６Ｂは、後処理機４０としてグロッサー８０のみの搭載されている装置構成を示す装置構成情報、及び光沢効果「種類優先」に対応する設定テーブルとして、図１９に示す設定テーブルを記憶する。
【０１６２】
図１９に示す設定テーブルには、優先情報「種類優先」を実現するための設定内容として、グロッサー８０をオフとすることが示されている。また、該設定テーブルには、光沢制御版データによって判別されたユーザ指定の表面効果がＰＧ（鏡面光沢）である領域についてはＧ（ベタ光沢）に置き換え、ユーザ指定の表面効果がＰＭ（つや消し）であると判別された領域についてはＭ（網点マット）に置き換えることが示されている。
【０１６３】
そして、図１９に示す設定テーブルには、上記表面効果を実現するための設定内容として、プリンタ機７０で用いるクリアトナー版データが示されている。
【０１６４】
具体的には、図１９に示す設定テーブルには、優先情報「種類優先」を実現するための設定内容として、グロッサー８０をオフとすることが示されている。また、該設定テーブルには、ユーザ指定の表面効果がＰＧ（鏡面光沢）である領域については、プリンタ機７０で用いるクリアトナー版データを“ＩＮＶ−１”とすることが示されている。そして、この設定とすることによって、ユーザ指定の表面効果であるＰＧ（鏡面光沢）に対して、印刷装置３０においてＧ（ベタ光沢）が得られることが示されている。
【０１６５】
また、図１９に示す設定テーブルは、ユーザ指定の表面効果がＧ（ベタ光沢）である領域については、プリンタ機７０で用いるクリアトナー版データを“ＩＮＶ−ｍ”とすることが示されている。そして、この設定とすることによって、ユーザ指定の表面効果であるＧ（ベタ光沢）に対して、該表面効果Ｇが得られることが示されている。
【０１６６】
同様に、図１９に示す設定テーブルは、ユーザ指定の表面効果がＭ(網点マット)である領域については、プリンタ機７０で用いるクリアトナー版データを“ｈａｌｆｔｏｎｅ−ｎ”とすることが示されている。そして、このように設定することによって、ユーザ指定の表面効果であるＭ（網点マット）に対して、該表面効果Ｍが得られることが示されている。
【０１６７】
そして、さらに、図１９に示す設定テーブルは、ユーザ指定の表面効果がＰＭ（つや消し）である領域については、プリンタ機７０で用いるクリアトナー版データを“ｎｏ  ｄａｔａ”（データ無し）とすることが示されている。そして、このように設定することによって、ユーザ指定の表面効果であるＰＭ（つや消し）に対して、該表面効果ＰＭを表面効果Ｍ（網点マット）に置き換えることが示されている。
【０１６８】
図１５〜図１９に示すように、記憶部５６Ｂは、後処理機４０の装置構成を示す装置構成情報及び優先情報に対応する、設定テーブルを記憶する。
【０１６９】
図９に戻り、置換部５６Ａは、表面効果種類判別部５６Ｄから受け付けた、ユーザ指定の表面効果の種類と、ＵＩ部５９からから受け付けた「光沢優先」または「種類優先」を示す優先情報と、に対応する設定テーブルを、記憶部５６Ｂから読み取る。そして、置換部５６Ａは、読み取った設定テーブルに基づいて、ｓｉ１部５２から受け付けた光沢制御版データによって示される表面効果を与える領域の表面効果の種類を、印刷装置３０で実現可能であり且つ優先情報に応じた表面効果の種類に置き換える。具体的には、装置構成取得部５８から受け付けた装置構成情報、及びＵＩ部５９から受け付けた優先情報に対応する設定テーブルに基づいた光沢制御処理（後述）を行うことによって、置換部５６Ａは、印刷装置３０で実現可能であり且つ優先情報に応じた種類の表面効果が得られるように、グロッサー８０のオンオフを設定する。また、置換部５６Ａは、この装置構成情報及び優先情報に対応する設定テーブル、及び装置構成情報に対応する表面効果選択テーブルに基づいてクリアトナー版データを生成する。これによって、置換部５６Ａは、印刷装置３０で実現可能な種類で、且つ優先情報に応じた表面効果が得られるように、装置構成情報によって特定される、プリンタ機７０、後処理機９０Ａ、及び後処理機９０Ｂの少なくとも一つで用いるクリアトナー版データを生成する。
【０１７０】
これによって、置換部５６Ａは、読み取った設定テーブルに基づいて、表面効果種類判別部５６Ｄから受け付けたユーザ指定の表面効果の種類を、印刷装置３０で実現可能で且つ優先情報に応じた表面効果の種類に置き換える。すなわち、置換部５６Ａは、装置構成、及び優先情報に応じて、印刷装置３０で実現可能な種類の表面効果が得られるようにクリアトナー版データを生成する。
【０１７１】
ＤＦＥ５０には、ＵＩ部５９が設けられている。ＵＩ部５９は、各種情報の表示や各種指示の受け付けを行う。本実施の形態では、ＵＩ部５９には、図２０に示す優先情報の選択として、光沢効果の選択を、ユーザに対して促すための選択画面２２Ａが表示される。本実施の形態では、「光沢優先」及び「種類優先」の何れかをユーザが選択するための選択画面２２ＡがＵＩ部５９に表示される。
【０１７２】
そして、ユーザがＵＩ部５９における選択ボタン（図示省略）の表示箇所を指示することによって、「光沢優先」及び「種類優先」の何れかが選択された後に、ＵＩ部５９に表示されている決定ボタン（図示省略）の表示箇所が指示される。これによって、ＵＩ部５９からクリアプロセッシング５６の置換部５６Ａに、ユーザによって指示された「光沢優先」または「種類優先」を示す優先情報が出力される。
【０１７３】
なお本実施の形態では、ＵＩ部５９がＤＥＦ５０に設けられている場合を説明するが、ＵＩ部５９は、ＤＥＦ５０に画像データを入力するパソコンに設けられていてもよい。すなわち、ＤＥＦ５０は、「光沢優先」または「種類優先」を示す優先情報を、該パソコンから受け付けてもよい。
【０１７４】
図９に戻り、本実施の形態では、ＤＦＥ５０は、印刷条件版データ生成部５６０を備えている。
【０１７５】
印刷条件版データ生成部５６０は、クリアトナーを記録媒体に付着させるときの印刷条件を示す有色の画像を特定した画像データである、印刷条件版データを生成する。また、本実施の形態では、さらに、印刷条件版データ生成部５６０は、合成有色版データを生成する。印刷条件版データは、詳細には、印刷条件を示す有色の画像を構成する画素毎に、ＣＭＹＫ等の有色の濃度値を規定した画像データである。合成有色版データは、印刷条件版データと、ホスト装置４９から受け付けた印刷データに含まれる有色版データと、を合成した合成データである（詳細後述）。
【０１７６】
印刷条件版データ生成部５６０は、取得部５６０Ｘ、読取部５６０Ｅ、判別部５６０Ｆ、第１生成部５６０Ｇ、及び第２生成部５６０Ｈを備える。
【０１７７】
取得部５６０Ｘは、有色版データと、特色版データと、を含む第１データを取得する。本実施の形態では、第１データは、クリアトナーを記録媒体に付与するときの印刷条件に関する情報を導出するための情報を更に含む。
【０１７８】
本実施の形態では、クリアトナーを記録媒体に付与するときの印刷条件に関する情報は、後処理機４０の装置構成情報、「光沢優先」または「種類優先」を示す優先情報、装置構成情報及び優先情報に対応する設定テーブルの識別情報、装置構成情報に対応する表面効果選択テーブルの識別情報、特色版データによって特定される特色領域を示す情報（形成位置や種類）等を含む。
【０１７９】
さらに、第１データは、有色トナーを記録媒体に付与するときの印刷条件に関する情報を導出するための情報を更に含んでいてもよい。この有色トナーを記録媒体に付与するときの印刷条件に関する情報としては、上述したように印刷日時、ホスト装置４９が有色版データを外部装置から受け付けたときの該有色版データを含む印刷ジョブのジョブ名、該印刷ジョブをホスト装置４９へ送信したユーザ名、プリンタ機７０の名称、プリンタ機７０の機種名、プリンタ機７０の最終調整日時、周辺機器構成、プリンタの設定、集約の設定、両面の設定などがあるが、これらに限られない。
【０１８０】
本実施の形態では、取得部５６０Ｘは、第１取得部５６０Ａ、第２取得部５６０Ｂ、第３取得部５６０Ｃ、第４取得部５６０Ｄを含む。
【０１８１】
第１取得部５６０Ａは、装置構成取得部５８から、後処理機４０の装置構成情報を取得する。第２取得部５６０Ｂは、レンダリングエンジン５１から、レンダリングエンジン５１で取得した画像データに含まれる、ベクター形式の有色版データ、ベクター形式の特色版データ（クリア版データ、光沢制御版データ）、及びジョブコマンドを取得する。
【０１８２】
第３取得部５６０Ｃは、置換部５６Ａから、置換部５６Ａで該光沢制御版データの表面効果の種類の置換えに用いた設定テーブルを一意に識別する識別情報と、該設定テーブルによって示される置換規則を取得する。なお、５６０Ｃは、該設定テーブルを更に取得してもよい。置換規則とは、該設定テーブルによって示される、表面効果の置換えの規則を示す情報である。すなわち、置換規則とは、該設定テーブルに示される、光沢制御版データに示されるユーザ指定の表面効果の種類に対応する、置換後の、印刷装置３０で実現可能で且つ優先情報に応じた表面効果の種類を示す。
【０１８３】
第４取得部５６０Ｄは、ＵＩ部５９から、「光沢優先」または「種類優先」を示す優先情報を受け付ける。なお、第４取得部５６０Ｄは、クリアプロセッシング５６から、設定テーブルの選択に用いた優先情報を受け付けてもよい。
【０１８４】
読取部５６０Ｅは、第１取得部５６０Ａで受け付けた装置構成情報に対応する、表面効果選択テーブルを記憶部５６Ｂから読み取る。このとき、読取部５６０Ｅは、該表面効果選択テーブルを一意に識別する識別情報を読取ってもよい。
【０１８５】
判別部５６０Ｆは、レンダリングエンジン５１から受け付けた特色版データによって特定される、クリアトナーを付与する領域の種類と、各領域の位置と、を判別する。詳細には、判別部５６０Ｆは、光沢制御版データによって示される、表面効果を与える各領域（描画オブジェクト）を示す情報と、各領域の濃度値によって示される表面効果の種類を、第３取得部５６０Ｃで取得した置換規則に基づいて、印刷装置３０で実現可能で且つ優先情報に応じた表面効果の種類に置換える。これによって、判別部５６０Ｆは、該光沢制御版データによって特定される表面効果を与える領域について、記録媒体上で実現される表面効果の種類を、表面効果を付与する領域（描画オブジェクト）毎に判別する。
【０１８６】
また、判別部５６０Ｆは、レンダリングエンジン５１から受け付けたクリア版データによって示される、透明画像を形成する各領域を示す情報を、透明画像を形成する領域（描画オブジェクト）毎に抽出する。これによって、判別部５６０Ｆは、クリア版データによって特定される透明画像の形成領域を、透明画像の領域（描画オブジェクト）毎に判別する。
【０１８７】
以上によって、判別部５６０Ｆは、レンダリングエンジン５１から受け付けた特色版データ（クリア版データ、光沢制御版データ）によって示される、特色領域の形成位置及び種類を描画オブジェクト毎に判別する。
【０１８８】
第１生成部５６０Ｇは、印刷条件データを生成する。具体的には、第１生成部５６０Ｇは、取得部５６０Ｘで取得した、第１データに基づいて、クリアトナーを記録媒体に付与するときの印刷条件に関する情報を示す画像データ（例えば、テキストデータ）を生成する。
【０１８９】
例えば、第１生成部５６０Ｇは、クリアトナーを記録媒体に付与するときの印刷条件に関する情報として、後処理機４０の装置構成情報、「光沢優先」または「種類優先」を示す優先情報、装置構成情報及び優先情報に対応する設定テーブルの識別情報、装置構成情報に対応する表面効果選択テーブルの識別情報、特色版データによって特定される特色領域を示す情報（形成位置や種類）等の内の少なくとも１つを文字画像等で示す画像データを生成する。
【０１９０】
さらに、第１生成部５６０Ｇは、有色トナーを記録媒体に付与するときの印刷条件に関する情報を併せて生成してもよい。この場合には、第１生成部５６０Ｇは、有色トナーを記録媒体に付与するときの印刷条件に関する情報として、第２取得部５６０Ｂで取得したジョブコマンドに含まれる、印刷日時、ホスト装置４９が有色版データを外部装置から受け付けたときの該有色版データを含む印刷ジョブのジョブ名、該印刷ジョブをホスト装置４９へ送信したユーザ名、プリンタ機７０の名称、プリンタ機７０の機種名、プリンタ機７０の最終調整日時、周辺機器構成、プリンタの設定、集約の設定、及び両面の設定等の情報の少なくとも１つを、文字画像等で示す画像データを生成する。
【０１９１】
また、第１生成部５６０Ｇは、レンダリングエンジン５１から受け付けたベクター形式の有色版データを解析し、該有色版データによって示される描画オブジェクト毎に、位置座標を取得する。次に、第１生成部５６０Ｇは、有色版データによって示される描画オブジェクトとしての各有色領域の、記録媒体上での位置を対応する位置座標に基づいて把握し、形成対象の記録媒体上に生じる余白領域を、印刷条件の形成位置として算出する。
【０１９２】
図２１は、有色版データによって示される各描画オブジェクトと、位置座標と、を示すデータである。第１生成部５６０Ｇが、有色版データによって示される各描画オブジェクトに対応する位置座標として、図２１に示す位置座標を取得したとする。図２２は、有色版データによって示される、余白領域の一例を示す模式図である。図２１に示すように、第１生成部５６０Ｇは、有色版データによって示される、取得した各描画オブジェクトに対応する位置座標と、形成対象の記録媒体の大きさと、から、記録媒体上に生じる余白領域（図２２中、左余白Ｐ１、右余白Ｐ２、上余白Ｐ３、下余白Ｐ４）を、印刷条件の形成位置として算出する。
【０１９３】
なお、第１生成部５６０Ｇは、ホスト装置４９から受け付けた印刷データに含まれる有色版データによって特定される有色領域の形成される記録媒体上の領域に、少なくとも一部が重なる領域を、印刷条件の形成位置として算出してもよい。
【０１９４】
図９に戻り、なお、ジョブコマンドは、形成対象の記録媒体の大きさや印刷向きを示す情報も含むものとし、第１生成部５６０Ｇは、レンダリングエンジン５１から受け付けたジョブコマンドを解析することで、形成対象の記録媒体の大きさ等を取得すればよい。
【０１９５】
そして、第１生成部５６０Ｇは、生成した、クリアトナーを記録媒体に付与するときの印刷条件に関する情報、及び有色版データによって特定される有色画像を有色トナーで記録媒体に付与するときの印刷条件に関する情報を、有色トナーで記録媒体に形成するための印刷条件版データを生成する。なお、記録媒体に形成する印刷条件に関する情報は、少なくとも、クリアトナーを記録媒体に付与するときの印刷条件に関する情報を含めばよい。
【０１９６】
第１生成部５６０Ｇでは、例えば、印刷条件に関する情報を記録媒体に形成したときの位置が上記余白領域内となるように、印刷条件に関する情報を示す画像の形成領域を定め、該形成領域に上記印刷条件を示す有色の画像の濃度値を設定することで、印刷条件版データを生成する。なお、印刷条件版データは、ＣＭＹＫの少なくとも１つの有色トナーを付与するための画像データとして形成する。例えば、印刷条件に関する情報を、ＣＭＹＫの内の、１種類の有色トナーを用いて記録媒体に形成する場合には、第１生成部５６０Ｇでは、印刷条件を示す有色の画像をＣＭＹＫの何れかの色及び濃度値を示した印刷条件版データを生成すればよい。また、ＣＭＹＫの内の、２種類以上の有色トナーを用いて印刷条件に関する情報を記録媒体に形成する場合には、第１生成部５６０Ｇでは、印刷条件に関する情報を、ＣＭＹＫの何れか２種類以上の色及び濃度値で示す印刷条件版データを、各種類の色毎に生成すればよい。何れの色を用いて印刷条件に関する情報を記録媒体に形成するかは、予め第１生成部５６０Ｇで設定すればよい。
【０１９７】
なお、本実施の形態では、一例として、第１生成部５６０Ｇは、各画素の濃度値を８ビットで示した、８ビットの印刷条件データを生成する。
【０１９８】
第２生成部５６０Ｈは、第１生成部５６０Ｇで生成した８ビットの印刷条件版データから、２ビットの印刷条件版データを生成する。また、第２生成部５６０Ｈは、ｓｉ３部５７がハーフトーンエンジン５５から受け付けたＣＭＹＫの２ビットの有色版データを、ｓｉ３部５７から受信する。そして、第２生成部５６０Ｈは、２ビットの印刷条件版データと、ＣＭＹＫの２ビットの有色版データの内、該２ビットの印刷条件版データと同じ色（有色トナーの色）を規定した有色版データと、を合成した合成有色版データを生成する。
【０１９９】
そして、第２生成部５６０Ｈは、生成した合成有色版データを、ｓｉ３部５７へ出力する。
【０２００】
ｓｉ３部５７では、上述したように、印刷条件版データ生成部５６０からの要求に応じて、ＣＭＹＫの各２ビットの有色版データを印刷条件版データ生成部５６０へ出力する。そして、ｓｉ３部５７は、印刷条件版データ生成部５６０から２ビットの合成有色版データを受け付けた場合には、ハーフトーンエンジン５５から受け付けたＣＭＹＫの有色版データの内、印刷条件版データ生成部５６０から受け付けた合成有色版データと同じ色（ＣＭＹＫの内の少なくとも１つ）の有色版データを、印刷条件版データ生成部５６０から受け付けた合成有色版データに置換える。そして、置換えた合成有色版データを有色版データとして含む、ＣＭＹＫの有色版データと、クリアプロセッシング５６から受け付けたクリアトナー版データと、を統合した画像データを、ＭＩＣ６０に出力する（詳細後述）。
【０２０１】
次に、本実施の形態に係る印刷システムが行う光沢制御処理の手順について図２３を用いて説明する。
【０２０２】
ＤＦＥ５０は、ホスト装置４９から画像データを受信すると（ステップＳ１）、これを言語解釈して、ベクター形式で表現される画像データをラスター形式に変換すると共に、ＲＧＢ形式等で表現された色空間をＣＭＹＫ形式等の色空間に変換して、ＣＭＹＫの各８ビットの有色版データ、８ビットの光沢制御版データ、及び８ビットのクリア版データを得る（ステップＳ２）。
【０２０３】
そして、ＤＦＥ５０は、ＣＭＹＫの各８ビットの有色版データに対してキャリブレーションにより生成された１Ｄ＿ＬＵＴのガンマカーブでガンマ補正を行い、ガンマ補正後の画像データに対して、プリンタ機７０に出力するための、例えば、ＣＭＹＫ各２ビットの有色版データのデータ形式に変換するハーフトーン処理を行い、ハーフトーン処理後のＣＭＹＫの各２ビットの有色版データを得る（ステップＳ３）。
【０２０４】
次に、クリアプロセッシング５６の装置構成取得部５８が、装置構成取得部５８から装置構成情報を取得する装置構成情報取得処理を実行する（ステップＳ４）。装置構成取得部５８は取得した装置構成情報をクリアプロセッシング５６へ出力する。
【０２０５】
図２４には、ステップＳ４における装置構成情報取得処理を示した。
【０２０６】
まず、装置構成取得部５８は、初期設定として、グロッサーフラグ、後処理機９０Ａフラグ、後処理機９０Ｂフラグを全てオフにする（ステップＳ１００）。装置構成取得部５８は、ＭＩＣ６０に、印刷装置３０にグロッサー８０が搭載されているか否かの問い合わせ信号を出力する。そして、ＭＩＣ６０から問い合わせ結果を示す信号を受け付けると、グロッサー８０が搭載されているか否かを判別する（ステップＳ１０１）。そして、グロッサー８０が搭載されていると判別した場合には(ステップＳ１０１：Ｙｅｓ)、装置構成取得部５８は、グロッサー８０搭載有りを示す内部フラグをオンにする（ステップＳ１０２）。
【０２０７】
グロッサー８０が搭載されていないと判別した場合には(ステップＳ１０１：Ｎｏ)、ステップＳ１０３へ進む。また上記ステップＳ１０２の処理後もステップＳ１０３へ進む。次に、装置構成取得部５８は、ＭＩＣ６０に、印刷装置３０に、通常定着処理機としての後処理機９０Ａが搭載されているか否かの問い合わせ信号を出力する。そして、ＭＩＣ６０から問い合わせ結果を示す信号を受け付けると、後処理機９０Ａが搭載されているか否かを判別する（ステップＳ１０３）。そして、後処理機９０Ａが搭載されていると判別した場合には(ステップＳ１０３：Ｙｅｓ)、装置構成取得部５８は、後処理機９０Ａの搭載有りを示す内部フラグをオンにする（ステップＳ１０４）。
【０２０８】
後処理機９０Ａが搭載されていないと判別した場合には(ステップＳ１０３：Ｎｏ)、ステップＳ１０５へ進む。また上記ステップＳ１０４の処理後もステップＳ１０５へ進む。次に、装置構成取得部５８は、ＭＩＣ６０に、印刷装置３０に、低温定着処理機としての後処理機９０Ｂが搭載されているか否かの問い合わせ信号を出力する。そして、ＭＩＣ６０から問い合わせ結果を示す信号を受け付けると、後処理機９０Ｂが搭載されているか否かを判別する（ステップＳ１０５）。そして、後処理機９０Ｂが搭載されていると判別した場合には(ステップＳ１０５：Ｙｅｓ)、装置構成取得部５８は、後処理機９０Ｂの搭載有りを示す内部フラグをオンにする（ステップＳ１０６）。
【０２０９】
そして、後処理機９０Ｂが搭載されていないと判別した場合には(ステップＳ１０５：Ｎｏ)、本ルーチンを終了する。また上記ステップＳ１０６の処理後も、本ルーチンを終了する。
【０２１０】
図２３へ戻り、次に、表面効果種類判別部５６Ｄが、上記ステップＳ２で得た８ビットの光沢制御版データを用いて、光沢制御版データによって示される各画素値に対して指定された表面効果の種類を判別する（ステップＳ５）。詳細には、表面効果種類判別部５６Ｄは、装置構成取得部５８から取得した装置構成情報に対応する表面効果選択テーブルを記憶部５６Ｂから読み取り、読み取った表面効果選択テーブルを参照して、該８ビットの光沢制御版データを用いて、光沢制御版データによって示される各画素値に対して指定された表面効果の種類を判別する。そして、表面効果種類判別部５６Ｄは、光沢制御板を構成する全ての画素について、このような判断を行う。
【０２１１】
次に、置換部５６Ａは、優先情報を記憶部５６Ｂから読み取る（ステップＳ６）。ステップＳ６の処理によって、置換部５６Ａは、種類優先、または光沢優先、の何れかの優先情報を読み取る。
【０２１２】
なお、上述のように、上記ＵＩ部５９がユーザによって操作指示されて、選択画面２２Ａを介して光沢優先または種類優先を示す信号がクリアプロセッシング５６の置換部５６Ａに出力される。この光沢優先または種類優先を示す信号を受け付けた置換部５６Ａは、該信号を受け付けたときに、該信号を記憶部５６Ｂに記憶するものとする。そして、置換部５６Ａは、新しくＵＩ部５９から該信号を受け付ける度に、該信号を記憶部５６Ｂに上書きして記憶するものとする。
【０２１３】
そして、ステップＳ６の処理時には、置換部５６Ａは、該信号を記憶部５６Ｂから読み取ることによって、優先情報としての、光沢優先または種類優先を示す信号を読み取る。
【０２１４】
次に、置換部５６Ａは、ステップＳ４で取得した装置構成情報、及びステップＳ６で読み取った優先情報に対応する設定テーブルを、記憶部５６Ｂから読み取る（ステップＳ７）。
【０２１５】
次に、置換部５６Ａは、ステップＳ７で読み取った設定テーブルに基づいて、置換処理、すなわち装置構成によって実現困難な種類の表面効果を、優先情報に応じた実現可能な種類の表面効果に置き換えたクリアトナー版データの生成及びグロッサー８０のオンオフの設定を行う（ステップＳ８）。
【０２１６】
そして、このステップＳ８において、置換部５６Ａは、上記ステップＳ６で読み取った優先情報が光沢優先を示す信号である場合には、グロッサー８０のオンを示す情報と、上記ステップＳ４で取得した装置構成情報と、の双方に対応する設定テーブルを用いて、置換処理を行う。一方、このステップＳ８において、置換部５６Ａは、上記ステップＳ６で読み取った優先情報が種類優先を示す信号である場合には、グロッサー８０のオフを示す情報と、上記ステップＳ４で取得した装置構成情報と、の双方に対応する設定テーブルを用いて、置換処理を行う。
【０２１７】
図２５には、装置構成情報として、グロッサー８０及び後処理機９０Ｂの搭載を示す装置構成情報（すなわち、図１０の構成を示す装置構成情報）を上記ステップＳ４で取得し、優先情報として「光沢優先」をステップＳ６で取得した場合の置換処理を示した。
【０２１８】
この場合、置換部５６Ａは、グロッサー８０及び後処理機９０Ｂのみが後処理機４０として設けられている事を示す装置構成情報及び「光沢優先」の優先情報に対応する設定テーブルを読み取る。例えば、置換部５６Ａは、該装置構成情報に対応する設定テーブルとして、図１６に示す設定テーブルを読み取る。その後、置換部５６Ａは、置換処理として、図２５に示す処理を実行する。図２５には、図１６に示す設定テーブルを読み取った場合の置換処理を示した。
【０２１９】
図１６に示すように、置換部５６Ａは、該読み取った設定テーブルに示されるグロッサー８０のオンオフを示す情報が「オン」であることから、グロッサー８０をオンに設定する（図示省略）。そして、置換部５６Ａは、プリンタ機７０で用いるクリアトナー版データ（クリアトナー版１）として、ユーザ指定の表面効果が鏡面光沢（ＰＧ）である領域についてはＩＮＶ−１、ユーザ指定の表面効果がベタ光沢（Ｇ）である領域についてはＩＮＶ−ｍのクリアトナー版データを生成する。また、置換部５６Ａは、ユーザ指定の表面効果が網点マット（Ｍ）及びつや消し（ＰＭ）である領域についてはｎｏ  ｄａｔａ（データ無し）とする。すなわち、置換部５６Ａは、ユーザ指定の表面効果が網点マット（Ｍ）及びつや消し（ＰＭ）である領域については、プリンタ機７０で用いるクリアトナー版データを作成しない。図１７に戻り、このようにして、置換部５６Ａは、プリンタ機７０で用いるクリアトナー版データ（２ビットのクリアトナー版データ）を作成する（ステップＳ１１０）。
【０２２０】
次に、置換部５６Ａは、後処理機９０Ｂで用いるクリアトナー版データ（クリアトナー版２）として、ユーザ指定の表面効果が鏡面光沢（ＰＧ）及びベタ光沢（Ｇ）である領域についてはｎｏ  ｄａｔａ（データ無し）とする。すなわち、置換部５６Ａは、ユーザ指定の表面効果が鏡面光沢（ＰＧ）及びベタ光沢（Ｇ）である領域については、後処理機９０Ｂで用いるクリアトナー版データを作成しない。また、置換部５６Ａは、ユーザ指定の表面効果が網点マット（Ｍ）及びつや消し（ＰＭ）である領域については、後処理機９０Ｂで用いるクリアトナー版データとして、ベタマスクのクリアトナー版データを作成する。これによって、置換部５６Ａは、後処理機９０Ｂで用いるクリアトナー版データ（２ビットのクリアトナー版データ）を作成する（ステップＳ１１２）。そして、本ルーチンを終了する。
【０２２１】
図２３に戻り、次に、印刷条件版データ生成部５６０が、印刷条件版データ生成処理を実行する（ステップＳ９）。
【０２２２】
図２６は、印刷条件版データ生成処理の手順を示すフローチャートである。
【０２２３】
まず、第２取得部５６０Ｂが、レンダリングエンジン５１から、レンダリングエンジン５１で取得した画像データに含まれる、ベクター形式の有色版データ、ベクター形式の特色版データ（クリア版データ、光沢制御版データ）、及びジョブコマンドを取得する（ステップＳ２００）。
【０２２４】
次に、第１取得部５６０Ａが、装置構成取得部５８から、後処理機４０の装置構成情報を取得する（ステップＳ２０２）。
【０２２５】
次に、読取部５６０Ｅが、第１取得部５６０Ａで受け付けた装置構成情報に対応する、表面効果選択テーブルを一意に識別する識別情報（表面効果選択テーブル名）を記憶部５６Ｂから読取る（ステップＳ２０４）。
【０２２６】
次に、第３取得部５６０Ｃが、置換部５６Ａから、置換部５６Ａで該光沢制御版データの表面効果の種類の置換えに用いた設定テーブルを一意に識別する識別情報（設定テーブル名）を取得する（ステップＳ２０５）。
【０２２７】
次に、第３取得部５６０Ｃが、置換部５６Ａから、置換部５６Ａで該光沢制御版データの表面効果の種類の置換えに用いた設定テーブルによって示される置換規則を取得する（ステップＳ２０６）。
【０２２８】
次に、判別部５６０Ｆが、記録媒体に付与する特色領域の形成位置及び種類を判別する（ステップＳ２０８）。次に、第４取得部５６０Ｄが、ＵＩ部５９から、「光沢優先」または「種類優先」を示す優先情報を取得する（ステップＳ２１０）。
【０２２９】
次に、第１生成部５６０Ｇは、ステップＳ２００〜ステップＳ２１０で取得した各情報に基づいて、印刷条件データを生成する（ステップＳ２１２）。すなわち、ステップＳ２００〜ステップＳ２１０で取得した各情報を、クリアトナーを記録媒体に付与するときの印刷条件に関する情報とし、例えば、これらをテキスト（文字画像）で示した印刷条件データを生成する。
【０２３０】
次に、第１生成部５６０Ｇは、ステップＳ２１２で生成した、クリアトナーを記録媒体に付与するときの印刷条件に関する情報と、上記ステップ２００で取得したジョブコマンドに含まれる、有色版データによって特定される有色画像を形成するときの印刷条件に関する情報と、から、印刷条件版データを生成する（ステップＳ２１４）。以上の処理によって、印刷条件版データが生成される。
【０２３１】
図２３へ戻り、第２生成部５６０Ｈが、第１生成部５６０Ｇで生成された８ビットの印刷条件版データから、２ビットの印刷条件版データを生成する。また、第２生成部５６０Ｈは、ｓｉ３部５７がハーフトーンエンジン５５から受け付けたＣＭＹＫの２ビットの有色版データを、ｓｉ３部５７から受信する。そして、第２生成部５６０Ｈは、２ビットの印刷条件版データと、ＣＭＹＫの２ビットの有色版データの内の、該２ビットの印刷条件版データと同じ色（有色トナーの色）を規定した有色版データと、を合成した合成有色版データを生成し、ｓｉ３部５７へ出力する（ステップＳ１０）。
【０２３２】
次に、ＤＦＥ５０のｓｉ３部５７が、ハーフトーンエンジン５５から受け付けたＣＭＹＫの有色版データの内、印刷条件版データ生成部５６０から受け付けた合成有色版データと同じ色（ＣＭＹＫの内の少なくとも１つ）の有色版データを、印刷条件版データ生成部５６０から受け付けた合成有色版データに置換える。そして、置換えた合成有色版データを有色版データとして含む、ＣＭＹＫの有色版データと、クリアプロセッシング５６から受け付けたクリアトナー版データと、を統合した画像データ、及びグロッサー８０オンまたはオフを示す情報を、ＭＩＣ６０に出力する（ステップＳ１１）。
【０２３３】
これによって、本ルーチンを終了する。
【０２３４】
ＭＩＣ６０は、ＤＦＥ５０から出力されたグロッサー８０のオン又はオフを示すオンオフ情報に基づいて、グロッサー８０をオンまたはオフにする。また、ＭＩＣ６０は、ＤＦＥ５０から出力された画像データであるＣＭＹＫの各２ビットの有色版データと、ステップＳ６で生成したプリンタ機７０で用いるクリアトナー版データとを統合し、プリンタ機７０へ出力する。プリンタ機７０は、ＭＩＣ６０から出力されたＣＭＹＫの有色版データ及びクリアトナー版データを用いて、露光器から光ビームを照射して各トナーに応じたトナー像を感光体上に形成してこれを記録媒体に転写した後に定着させる。これによって記録媒体に、ＣＭＹＫのトナーの他クリアトナーが付着されて、画像が形成される。
【０２３５】
その後、搬送路２０に沿って記録媒体が搬送されてグロッサー８０の位置に到ると、グロッサー８０をオンとなっている場合には、グロッサー８０が、当該記録媒体（のプリンタ機７０による画像形成領域を含む領域）を再定着する。
【０２３６】
また、ＭＩＣ６０は、ＤＦＥ５０から出力されたクリアトナー版データが後処理機９０Ａで用いるクリアトナー版データである場合には、該クリアトナー版データを後処理機９０Ａへ出力する。後処理機４０に後処理機９０Ａが搭載されている場合には、後処理機９０ＡはＭＩＣ６０から該クリアトナー版データを受け付ける。そして、後処理機９０Ａは、ＭＩＣ６０から出力されたクリアトナー版データを用いてクリアトナーによるトナー像を形成して、グロッサー８０を通過した記録媒体上に当該トナー像を重ねて、通常温度での加熱及び加圧により記録媒体に定着させる。
【０２３７】
また、ＭＩＣ６０は、ＤＦＥ５０から出力されたクリアトナー版データが後処理機９０Ｂで用いるクリアトナー版データである場合には、該クリアトナー版データを後処理機９０Ｂへ出力する。後処理機４０に後処理機９０Ｂが搭載されている場合には、後処理機９０ＢはＭＩＣ６０から該クリアトナー版データを受け付ける。そして、後処理機９０Ｂは、ＭＩＣ６０から出力されたクリアトナー版データを用いてクリアトナーによるトナー像を形成して、後処理機９０Ａを通過した記録媒体上に当該トナー像を重ねて、低温での加熱及び加圧により記録媒体に定着させる。
【０２３８】
ここで、上述のように、プリンタ機７０が受け付ける有色版データには、上述した合成有色版データが含まれる。このため、合成有色版データによって規定される有色画像が記録媒体に形成されることで、記録媒体には、ホスト装置４９からＤＦＥ５０が受け付けた有色版データによって特定される有色画像や、特色版データによって特定されクリアトナーによって形成される特色領域と共に、少なくともクリアトナーの印刷条件に関する情報を示す画像が有色で記録媒体に記録されることとなる。
【０２３９】
図２７は、記録媒体に形成された画像の一例を示す模式図である。
【０２４０】
図２７に示すように、記録媒体３００には、ホスト装置４９からＤＦＥ５０が受け付けた有色版データによって特定される有色画像３００Ａが有色トナーにより形成され、特色版データによって特定される特色領域３００Ｂがクリアトナーにより形成されると共に、少なくともクリアトナーの印刷条件に関する情報３００Ｃが、例えば、記録媒体３００の余白領域Ｑに有色トナーで形成される。
【０２４１】
このため、本実施の形態の印刷システム１０では、クリアトナーを記録媒体に付着させるときの印刷条件を容易に提示することができる。
【０２４２】
また、記録媒体に有色で形成される、印刷条件に関する情報は、クリアトナーを記録媒体に付与するときの印刷条件に関する情報として、後処理機４０の装置構成情報、「光沢優先」または「種類優先」を示す優先情報、置換規則、装置構成情報及び優先情報に対応する設定テーブルの識別情報、装置構成情報に対応する表面効果選択テーブルの識別情報、及び特色版データによって特定される特色領域を示す情報（形成位置や種類）の内の少なくとも１つを含む。
【０２４３】
このため、クリアトナーの印刷条件を詳細に提示することができる。
【０２４４】
また、記録媒体に有色で形成される、クリアトナーを記録媒体に付与するときの印刷条件に関する情報が、置換規則や、設定テーブルの識別情報等を含むことで、ユーザに対して、装置構成や優先情報に応じて置換えた表面効果を容易に提供することができる。
【０２４５】
（第２の実施の形態）
第１の実施の形態では、ホスト装置４９で印刷データを生成し、ＤＦＥ５０に印刷条件版データ生成部５６０を設けて、ＤＦＥ５０で印刷条件版データの生成処理を行うように構成したが、これに限定されるものではない。
【０２４６】
すなわち、一の装置で行っていた複数の処理のいずれかを、一の装置とネットワークを介して接続する1以上の他の装置で行う構成にしてもよい。
【０２４７】
その一例として、本実施の形態に係る印刷システムでは、ＤＥＦの機能の一部を、ネットワーク上のサーバ装置上に実装している。
【０２４８】
図２８は、本実施の形態に係る印刷システムの構成を例示する図である。図２８に示すように、本実施の形態の印刷システムは、ホスト装置４９と、ＤＦＥ３０５０と、ＭＩＣ６０と、印刷装置３０と、を備えている。
【０２４９】
本実施の形態では、ＤＦＥ３０５０がインターネット等のネットワークを介して、サーバ装置３０６０と接続された構成となっている。また、本実施の形態では、第１の実施の形態のＤＦＥ５０のクリアプロセッシング５６の機能を、サーバ装置３０６０に設けた構成となっている。
【０２５０】
ここで、ホスト装置４９、ＤＦＥ３０５０、ＭＩＣ６０、及び印刷装置３０の接続構成は、第１の実施の形態と同様である。
【０２５１】
すなわち、具体的には、第２の実施の形態では、ＤＦＥ３０５０がインターネット等のネットワーク（クラウド）を介して、単一のサーバ装置３０６０に接続し、サーバ装置３０６０は、第１の実施の形態のＤＦＥ５０の印刷条件版データ生成部５６０の機能を設け、サーバ装置３０６０で、印刷条件版データの生成処理を行うように構成している。
【０２５２】
まず、サーバ装置３０６０について説明する。図２９は、第２の実施の形態にかかるサーバ装置３０６０の機能的構成を示すブロック図である。サーバ装置３０６０は、記憶部３０７０と、印刷条件版データ生成部３０６２と、通信部３０６５と、を主に備えている。
【０２５３】
記憶部３０７０は、ＨＤＤやメモリ等の記憶媒体である。通信部３０６５は、ＤＦＥ３０５０との間で各種データや要求の送受信を行う。より具体的には、通信部３０６５は、ＤＦＥ３０５０から、第１データを受信する。また、通信部３０６５は、印刷条件版データ生成部３０６２で生成された印刷条件版データを、ＤＦＥ３０５０へ送信する。
【０２５４】
次に、ＤＦＥ３０５０について説明する。図３０は、第１の実施の形態のＤＦＥ３０５０の機能的構成を示すブロック図である。本実施の形態のＤＦＥ３０５０は、レンダリングエンジン５１と、ｓｉ１部５２と、ＴＲＣ５３と、ｓｉ２部５４と、ハーフトーンエンジン５５と、ｓｉ３部５７と、装置構成取得部５８と、ＵＩ部５９と、通信部３０５１と、を主に備えている。ここで、レンダリングエンジン５１と、ｓｉ１部５２と、ＴＲＣ５３と、ｓｉ２部５４と、ハーフトーンエンジン５５と、ｓｉ３部５７と、装置構成取得部５８と、ＵＩ部５９の機能および構成については第１の実施の形態のＤＦＥ５０と同様である。
【０２５５】
通信部３０５１は、図示を省略するインターフェースを介して、各種データをサーバ装置３０６０との間で送受信する。
【０２５６】
次に、本実施の形態に係る印刷システムが行う光沢制御処理の手順について図３９を用いて説明する。
【０２５７】
本実施の形態の印刷システムのＤＦＥ３０５０では、第１の実施の形態のＤＦＥ５０と同様にして、ステップＳ１〜ステップＳ８の処理を実行する（図２３参照）。
【０２５８】
次に、通信部３０５１が、印刷条件データの生成に用いる第１データを、サーバ装置３０６０へ送信する（ステップＳ８００）。第１データは、第１の実施の形態と同じである。次に、通信部３０５１は、サーバ装置３０６０から、印刷条件版データを受信する（ステップ８１０）。
【０２５９】
次に、ｓｉ３部５７が、ハーフトーンエンジン５５から受け付けたＣＭＹＫの２ビットの有色版データの内、サーバ装置３０６０から受信した２ビットの印刷条件版データと同じ色（有色トナーの色）を規定した有色版データと、該印刷条件版データと、を合成した合成有色版データを生成する。そして、ｓｉ３部５７は、ハーフトーンエンジン５５から受け付けたＣＭＹＫの有色版データの内、生成した合成有色版データと同じ色（ＣＭＹＫの内の少なくとも１つ）の有色版データを、該生成した合成有色版データに置換える。そして、置換えた合成有色版データを含む、ＣＭＹＫの有色版データと、クリアプロセッシング５６から受け付けたクリアトナー版データと、を統合した画像データ、及びグロッサー８０オンまたはオフを示す情報を、ＭＩＣ６０に出力する（ステップＳ１１）。
【０２６０】
これによって、本ルーチンを終了する。
【０２６１】
次に、サーバ装置３０６０で実行する印刷条件版データ生成処理を説明する。
【０２６２】
サーバ装置３０６０では、まず、通信部３０６５が、ＤＦＥ３０５０から、第１データを受信する（ステップＳ９００）。
【０２６３】
次に、印刷条件版データ生成部３０６２が、第１データから、ベクター形式の有色版データ、ベクター形式の特色版データ（クリア版データ、光沢制御版データ）、及びジョブコマンドを取得する（ステップＳ９１０）。なお、印刷条件版データ生成部３０６２が実行するステップ９１０〜ステップＳ９２４の処理は、各情報を第１データから取得または読み取る以外は、実施の形態１の印刷条件版データ生成部５６０の各機能部で実行する処理と同様である。
【０２６４】
次に、印刷条件版データ生成部３０６２が、第１データから、後処理機４０の装置構成情報を取得する（ステップＳ９１２）。次に、印刷条件版データ生成部３０６２が、第１データから、装置構成情報に対応する、表面効果選択テーブルを一意に識別する識別情報（表面効果選択テーブル名）を読取る（ステップＳ９１４）。
【０２６５】
次に、印刷条件版データ生成部３０６２が、第１データから、設定テーブルを一意に識別する識別情報（設定テーブル名）を取得する（ステップＳ９１５）。次に、印刷条件版データ生成部３０６２が、第１データから、設定テーブルによって示される置換規則を取得する（ステップＳ９１６）。
【０２６６】
次に、印刷条件版データ生成部３０６２、第１データから、記録媒体に付与する特色領域の形成位置及び種類を判別する（ステップＳ９１８）。次に、印刷条件版データ生成部３０６２は、第１データから、「光沢優先」または「種類優先」を示す優先情報を取得する（ステップＳ９２０）。
【０２６７】
次に、印刷条件版データ生成部３０６２は、取得した各情報に基づいて、印刷条件データを生成する（ステップＳ９２２）。次に、印刷条件版データ生成部３０６２は、印刷条件版データを生成する（ステップＳ９１４）。以上の処理によって、印刷条件版データが生成される。そして、印刷条件版データ生成部３０６２は、印刷条件版データを、ＤＦＥ３０５０へ送信する（ステップＳ９２６）。
【０２６８】
このように本実施の形態では、印刷条件版データ生成部の機能を、サーバ装置３０６０に設けた構成とし、印刷条件版データの生成を、クラウド上のサーバ装置３０６０で行っている。このため、第１の実施の形態の効果の他、複数のＤＦＥ３０５０が存在する場合でも、印刷条件版データの生成を一括して行うことができ、管理者の便宜となる。
【０２６９】
なお、本実施の形態では、クラウド上の単一のサーバ装置３０６０に、印刷条件版データ生成部の機能を設け、サーバ装置３０６０で、印刷条件版データの生成を行うように構成したが、これに限定されるものではない。
【０２７０】
例えば、クラウド上に２以上のサーバ装置を設け、上記処理を、２以上のサーバ装置で分散させて実行するように構成してもよい。図３３は、クラウド上に２つのサーバ（第１サーバ装置３８６０と第２サーバ装置３８６１）を設けたネットワーク構成図である。図３３の例では、第１サーバ装置３８６０と第２サーバ装置３８６１とで、印刷条件版データの生成処理を分散して行うように構成する。
【０２７１】
なお、各処理の各サーバ装置への分散の形態はこれに限定されるものではなく、任意に行うことができる。
【０２７２】
また、ホスト装置４９で行う印刷データ生成処理や、ＤＦＥ３０５０で行うその他の処理の一部または全部をクラウド上の一つのサーバ装置に集中して設けたり、複数のサーバ装置に分散させて設けたりすることは任意に行うことができる。
【０２７３】
言い換えると、上述の例のように、一の装置で行っていた複数の処理のいずれかを、一の装置とネットワークを介して接続する１以上の他の装置で行う構成にすることができる。
【０２７４】
また、上記の「一の装置とネットワークを介して接続する１以上の他の装置で行う構成」の場合、一の装置で行われた処理で発生したデータ（情報）を一の装置から他の装置に出力する処理、そのデータを他の装置が入力する処理等、一の装置と他の装置間、さらには、他の装置間同士で行われるデータの入出力処理を含むような構成となる。
【０２７５】
つまり、他の装置が１つの場合では、一の装置と他の装置間で行われるデータの入出力処理を含むような構成となり、他の装置が２以上の場合では、一の装置と他の装置間、及び、第一の他の装置・第二の他の装置間のように他の装置間同士でデータの入出力処理を含むような構成となる。
【０２７６】
また、第２の実施の形態では、サーバ装置３０６０、あるいは第１サーバ装置３８６０および第２サーバ装置３８６１などの複数のサーバ装置を、クラウド上に設けているが、これに限定されるものではない。例えば、サーバ装置３０６０、あるいは第１サーバ装置３８６０および第２サーバ装置３８６１などの複数のサーバ装置を、イントラネット上に設ける等、あらゆるネットワーク上に設けた構成としてもよい。
【０２７７】
なお、本発明は、上記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【０２７８】
図３４は、本実施形態のＤＦＥ５０、３０５０や、サーバ装置３０６０、第１サーバ装置３８６０、第２サーバ装置３８６１のハードウェア構成例を示すブロック図である。本実施形態のＤＦＥ５０、３０５０や、サーバ装置３０６０、第１サーバ装置３８６０、第２サーバ装置３８６１は、ＣＰＵなどの制御装置１０１０と、ＲＯＭ（Ｒｅａｄ  Ｏｎｌｙ  Ｍｅｍｏｒｙ）やＲＡＭなどの主記憶装置１０２０と、ＨＤＤ、ＣＤドライブ装置などの補助記憶装置１０３０と、ディスプレイ装置などの表示装置１０４０と、キーボードやマウスなどの入力装置１０５０と、を備えており、通常のコンピュータを利用したハードウェア構成となっている。
【０２７９】
本実施形態のＤＦＥ５０、３０５０や、サーバ装置３０６０、第１サーバ装置３８６０、第２サーバ装置３８６１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０２８０】
また、本実施形態のＤＦＥ５０、３０５０や、サーバ装置３０６０、第１サーバ装置３８６０、第２サーバ装置３８６１で実行されるプログラムを、インターネット等のネットワークに接続されたコンピュータ上に格納し、ネットワーク経由でダウンロードさせることにより提供するように構成してもよい。また、本実施形態のＤＦＥ５０、３０５０や、サーバ装置３０６０、第１サーバ装置３８６０、第２サーバ装置３８６１で実行されるプログラムをインターネット等のネットワーク経由で提供または配布するように構成しても良い。また、本実施形態のＤＦＥ５０、３０５０や、サーバ装置３０６０、第１サーバ装置３８６０、第２サーバ装置３８６１で実行される制御プログラムを、ＲＯＭ等に予め組み込んで提供するように構成してもよい。
【０２８１】
本実施形態のＤＦＥ５０、３０５０や、サーバ装置３０６０、第１サーバ装置３８６０、第２サーバ装置３８６１で実行されるプログラムは、上述した各部を含むモジュール構成となっており、実際のハードウェアとしてはＣＰＵ（プロセッサ）が上記記憶媒体から制御プログラムを読み出して実行することにより上記各部が主記憶装置上にロードされ、上記各部が主記憶装置上に生成されるようになっている。なお、上述の実施形態では、ＤＦＥ５０、３０５０や、サーバ装置３０６０、第１サーバ装置３８６０、第２サーバ装置３８６１が本発明に係る処理を実行しているが、これに限らず、本発明に係る処理を実行する装置の種類は任意であり、例えばＰＣで処理を実行することもできる。
【０２８２】
上述した実施の形態において、印刷システムは、ＤＦＥ５０、ＭＩＣ６０、プリンタ機７０、及び後処理機４０を備えるように構成したが、これに限らない。例えば、ＤＦＥ５０、ＭＩＣ６０及びプリンタ機７０を一体的に形成して１つの画像形成装置として構成するようにしてもよいし、更に、グロッサー８０及び後処理機９０を備えた画像形成装置として形成するようにしてもよい。
【０２８３】
上述した実施の形態の印刷システムにおいては、ＣＭＹＫの複数の色のトナーを用いて画像を形成するようにしたが、１色のトナーを用いて画像を形成するようにしてもよい。
【符号の説明】
【０２８４】
１０  印刷システム
３０  印刷装置
５０、３０５０  ＤＦＥ
５８  装置構成取得部
５９  ＵＩ部
５６０  印刷条件版データ生成部
５６０Ａ  第１取得部
５６０Ｂ  第２取得部
５６０Ｃ  第３取得部
５６０Ｄ  第４取得部
５６０Ｅ  読取部
５６０Ｆ  判別部
５６０Ｇ  第１生成部
５６０Ｈ  第２生成部
５６０Ｘ  取得部
【先行技術文献】
【特許文献】
【０２８５】
【特許文献１】特開２００３−３４５５７７号公報
【図１】
0005990993.tif 000002
【図２】
0005990993.tif 000003
【図３】
0005990993.tif 000004
【図４】
0005990993.tif 000005
【図５】
0005990993.tif 000006
【図６】
0005990993.tif 000007
【図７】
0005990993.tif 000008
【図８】
0005990993.tif 000009
【図９】
0005990993.tif 000010
【図１０】
0005990993.tif 000011
【図１１】
0005990993.tif 000012
【図１２】
0005990993.tif 000013
【図１３】
0005990993.tif 000014
【図１４】
0005990993.tif 000015
【図１５】
0005990993.tif 000016
【図１６】
0005990993.tif 000017
【図１７】
0005990993.tif 000018
【図１８】
0005990993.tif 000019
【図１９】
0005990993.tif 000020
【図２０】
0005990993.tif 000021
【図２１】
0005990993.tif 000022
【図２２】
0005990993.tif 000023
【図２３】
0005990993.tif 000024
【図２４】
0005990993.tif 000025
【図２５】
0005990993.tif 000026
【図２６】
0005990993.tif 000027
【図２７】
0005990993.tif 000028
【図２８】
0005990993.tif 000029
【図２９】
0005990993.tif 000030
【図３０】
0005990993.tif 000031
【図３１】
0005990993.tif 000032
【図３２】
0005990993.tif 000033
【図３３】
0005990993.tif 000034
【図３４】
0005990993.tif 000035